(57)【特許請求の範囲】
【請求項１】
波長多重光を伝送する光伝送路を介して複数の光伝送装置を接続した４ファイバリング伝送システムに設けられ、高次群側と低次群側との間の交換接続を波長単位で行う前記光伝送装置であって、
個々の波長に対応して設けられる複数のライン冗長ユニットと、
前記複数のライン冗長ユニットからそれぞれ与えられる光信号を波長多重して前記光伝送路に送出するとともに、当該光伝送路を介して到来した波長多重光を波長分離してそれぞれ対応する波長の前記ライン冗長ユニットに入力する波長多重分離部と、
前記低次群側のチャネルごとに設けられる複数のトリビュタリユニットと、
前記複数のライン冗長ユニットと前記複数のトリビュタリユニットとの相互の波長の割り当てを行う光クロスコネクト部とを具備し、
前記ライン冗長ユニットの各々は、
前記波長多重分離部とのインタフェースを行うラインインタフェース部と、
それぞれ前記ラインインタフェース部および前記光クロスコネクト部に個別に接続され、当該ラインインタフェース部と光クロスコネクト部との間で授受される光信号の交換接続を行う現用系光スイッチ装置および予備系光スイッチ装置とを備え、
前記トリビュタリユニットの各々は、
前記低次群側とのインタフェースを行うトリビュタリインタフェース部と、
このトリビュタリインタフェース部と前記光クロスコネクト部との間で授受される光信号の交換接続を行うトリビュタリスイッチ部とを備え、
前記光伝送路は、現用系光伝送路と予備系光伝送路とを備え、
前記トリビュタリインタフェース部は、低次群側現用系回線と接続される低次群側現用系用インタフェースと、低次群側予備系回線と接続される低次群側予備系用インタフェースと、低次群側パートタイム回線と接続される低次群側パートタイム用インタフェースとを備え、
前記予備系光伝送路に空きがある場合に、前記低次群側パートタイム回線に分離されるパートタイムトラフィックまたは前記低次群側予備系回線に分離されるエクストラトラフィックの少なくとも一つを、当該予備系光伝送路を介して伝送することを特徴とする光伝送装置。
【請求項２】
波長多重光を伝送する光伝送路を介して複数の光伝送装置を接続した４ファイバリング伝送システムに設けられ、高次群側と低次群側との間の交換接続を波長単位で行う前記光伝送装置であって、
個々の波長に対応して設けられる複数のライン冗長ユニットと、
前記複数のライン冗長ユニットからそれぞれ与えられる光信号を波長多重して前記光伝送路に送出するとともに、当該光伝送路を介して到来した波長多重光を波長分離してそれぞれ対応する波長の前記ライン冗長ユニットに入力する波長多重分離部と、
前記低次群側のチャネルごとに設けられる複数のトリビュタリユニットとを具備し、
前記ライン冗長ユニットの各々は、
前記波長多重分離部とのインタフェースを行うラインインタフェース部と、
それぞれ前記ラインインタフェース部および対応するチャネルのトリビュタリユニットに個別に接続され、当該ラインインタフェース部とトリビュタリユニットとの間で授受される光信号の交換接続を行う現用系光スイッチ装置および予備系光スイッチ装置とを備え、
前記トリビュタリユニットの各々は、
前記低次群側とのインタフェースを行うトリビュタリインタフェース部と、
このトリビュタリインタフェース部と、接続先の前記現用系光スイッチ装置および予備系光スイッチ装置との間で授受される光信号の交換接続を行うトリビュタリスイッチ部とを備え、
前記光伝送路は、現用系光伝送路と予備系光伝送路とを備え、
前記トリビュタリインタフェース部は、低次群側現用系回線と接続される低次群側現用系用インタフェースと、低次群側予備系回線と接続される低次群側予備系用インタフェースと、低次群側パートタイム回線と接続される低次群側パートタイム用インタフェースとを備え、
前記予備系光伝送路に空きがある場合に、前記低次群側パートタイム回線に分離されるパートタイムトラフィックまたは前記低次群側予備系回線に分離されるエクストラトラフィックの少なくとも一つを、当該予備系光伝送路を介して伝送することを特徴とする光伝送装置。
【請求項３】
現用系および予備系間の冗長切り替えを行う際に、前記低次群側パートタイム用インタフェースを介して前記低次群側パートタイム回線に特定信号を挿入することを特徴とする請求項１および２のいずれかに記載の光伝送装置。
【請求項４】
現用系および予備系間の冗長切り替えを行う際に、前記ラインインタフェース部を介して前記予備系光伝送路に特定信号を挿入することを特徴とする請求項３に記載の光伝送装置。
【請求項５】
前記現用系光スイッチ装置および予備系光スイッチ装置は、
光信号が入力される６ｍ個（ｍは自然数）の入力ポートと、
光信号を出力する６ｍ個の出力ポートと、
前記入力ポートから入力された光信号をそれぞれ３分岐する６ｍ個の光分岐器と、
これらの光分岐器から送出される分岐信号がそれぞれ入力される１８ｍ個（ｍは自然数）の入力端子と、前記出力ポートにそれぞれ接続される６ｍ個の出力端子とを備えた光マトリクススイッチとを具備することを特徴とする請求項４に記載の光伝送装置。
【請求項６】
前記現用系光スイッチ装置および予備系光スイッチ装置は、
光信号が入力される６ｍ個（ｍは自然数）の入力ポートと、
光信号を出力する６ｍ個の出力ポートと、
前記入力ポートから入力された光信号をそれぞれ２分岐する６ｍ個の第１の光分岐器と、
１４ｍ個の入力端子と、６ｍ個の出力端子とを備えた光マトリクススイッチと、
この光マトリクススイッチの出力端子のうち２ｍ個にそれぞれ接続され、当該光マトリクススイッチを介して与えられる光信号をそれぞれ２分岐する２ｍ個の第２の光分岐器とを備え、
前記第１の光分岐器から送出される分岐信号をそれぞれ前記光マトリクススイッチの１２ｍ個の入力端子に入力し、
当該光マトリクススイッチの残りの２ｍ個の入力端子に前記第２の光分岐器の一方の分岐端をそれぞれ接続し、
当該第２の光分岐器の他方の分岐端をそれぞれ２ｍ個の前記出力ポートに接続し、
前記光マトリクススイッチの残りの４ｍ個の出力端子を前記出力ポートの残りの４ｍ個に接続したことを特徴とする請求項４に記載の光伝送装置。
【請求項７】
前記現用系光スイッチ装置および予備系光スイッチ装置は、
光信号が入力される６ｍ個（ｍは自然数）の入力ポートと、
光信号を出力する６ｍ個の出力ポートと、
前記入力ポートから入力された光信号をそれぞれ２分岐する６ｍ個の第１の光分岐器と、
１０ｍ個の入力端子と、４ｍ個の出力端子とを備えた第１の光マトリクススイッチと、
前記第１の光分岐器のうち４ｍ個の一方の分岐出力がそれぞれ入力される４ｍ個の入力端子と、前記出力ポートのうち２ｍ個にそれぞれ接続される２ｍ個の出力端子とを備えた第２の光マトリクススイッチと、
前記第１の光マトリクススイッチの出力端子のうち２ｍ個にそれぞれ接続され、当該光マトリクススイッチを介して与えられる光信号をそれぞれ２分岐する２ｍ個の第２の光分岐器とを備え、
前記４ｍ個の第１の光分岐器の他方の分岐出力と、残りの２ｍ個の第１の光分岐器の２つの分岐出力とを、前記第１のマトリクススイッチの入力端子のうち８ｍ個にそれぞれ１対１に接続し、
前記第１のマトリクススイッチの残りの２ｍ個の入力端子に、前記第２の光分岐器の一方の分岐出力を接続し、
前記第１のマトリクススイッチの残りの２ｍ個の出力端子と、前記第２の光分岐器の他方の分岐出力とを、残りの４ｍ個の前記出力ポートにそれぞれ１対１に接続したことを特徴とする請求項４に記載の光伝送装置。
【請求項８】
前記現用系光スイッチ装置および予備系光スイッチ装置は、
光信号が入力される６ｍ個（ｍは自然数）の入力ポートと、
光信号を出力する６ｍ個の出力ポートと、
前記入力ポートから入力された光信号をそれぞれ２分岐する６ｍ個の光分岐器と、
８ｍ個の入力端子と、４ｍ個の出力端子とを備えた第１の光マトリクススイッチと、
６ｍ個の入力端子と、４ｍ個の出力端子とを備えた第２の光マトリクススイッチと、
２つの入力端子と２つの出力端子とを有し、自己の２つの入力端子から入力される光信号を結合したのち分岐して自己の２つの出力端子から出力する２ｍ個の光カプラ・スプリッタとを具備し、
前記６ｍ個の光分岐器の一方の分岐出力をそれぞれ前記第１の光マトリクススイッチの６ｍ個の入力端子に１対１に接続し、当該光分岐器の他方の分岐出力を前記第２の光マトリクススイッチの６ｍ個の入力端子に１対１に接続し、
前記第２の光マトリクススイッチの２ｍ個の出力端子を２ｍ個の出力ポートに接続し、前記第２の光マトリクススイッチの残りの２ｍ個の出力端子を前記光カプラ・スプリッタのそれぞれの一方の入力端子に接続し、
前記第１の光マトリクススイッチの２ｍ個の出力端子を２ｍ個の前記出力ポートに１対１に接続し、当該第１の光マトリクススイッチの残りの２ｍ個の出力端子を前記光カプラ・スプリッタのそれぞれの他方の入力端子に接続し、
前記光カプラ・スプリッタの一方の出力端子を前記第１の光マトリクススイッチの残りの２ｍ個の入力端子に接続し、当該光カプラ・スプリッタの他方の出力端子を残りの２ｍ個の前記出力ポートに１対１に接続したことを特徴とする請求項４に記載の光伝送装置。
【請求項９】
前記現用系光スイッチ装置および予備系光スイッチ装置は、
光信号が入力される６ｍ個の入力ポートと、
光信号を出力する６ｍ個の出力ポートと、
前記入力ポートから入力された光信号をそれぞれ２分岐する６ｍ個の第１の光分岐器と、
１０ｍ個の入力端子と、２ｍ個の出力端子と、４ｍ個の拡張入力端子と、これらの拡張入力端子にそれぞれ対応する４ｍ個の拡張出力端子とを備えた拡張ポート付き光マトリクススイッチと、
この拡張ポート付き光マトリクススイッチの前記拡張出力端子のうち２ｍ個にそれぞれ接続され、当該拡張ポート付き光マトリクススイッチを介して与えられる光信号をそれぞれ２分岐する２ｍ個の第２の光分岐器とを備え、
４ｍ個の前記第１の光分岐器の２つの分岐端と、残りの２ｍ個の第１の光分岐器の一方の分岐端とを、前記光マトリクススイッチの入力端子に１対１に接続し、
前記残りの２ｍ個の光分岐器の他方の分岐端を、２ｍ個の拡張入力端子にそれぞれ１対１に接続し、
前記第２の光分岐器の一方の分岐端を、残りの２ｍ個の拡張入力端子にそれぞれ１対１に接続し、
前記光マトリクススイッチの２ｍ個の出力端子と、前記拡張出力端子の残りの２ｍ個と、前記第２の光分岐器の他方の分岐端とをそれぞれ前記出力ポートに１対１に接続したことを特徴とする請求項４に記載の光伝送装置。
【請求項１０】
前記現用系光スイッチ装置および予備系光スイッチ装置は、
光信号が入力される６ｍ個（ｍは自然数）の入力ポートと、
光信号を出力する６ｍ個の出力ポートと、
４つの出力端子を有し、前記入力ポートからの光信号を４分岐してそれぞれ前記４つの出力端子から出力する６ｍ個の光分岐器と、
４ｍ個の入力端子と、前記出力ポートに１対１に接続され自己の入力端子からの光信号を選択的に切り替え出力するｍ個の出力端子とをそれぞれ有する第１乃至第６の光スイッチとを具備し、
前記光分岐器を、それぞれｍ個の光分岐器からなる第１乃至第６の組に組み分けしたとき、
第１の組に属する光分岐器の出力端子を、それぞれ第３、第４、第５、第６の光スイッチの入力端子に１対１に接続し、
第２の組に属する光分岐器の出力端子を、それぞれ第３、第４、第５、第６の光スイッチの入力端子に１対１に接続し、
第３の組に属する光分岐器の出力端子を、それぞれ第１、第２、第５、第６の光スイッチの入力端子に１対１に接続し、
第４の組に属する光分岐器の出力端子を、それぞれ第１、第２、第５、第６の光スイッチの入力端子に１対１に接続し、
第５の組に属する光分岐器の出力端子を、それぞれ第１、第２、第３、第４の光スイッチの入力端子に１対１に接続し、
第６の組に属する光分岐器の出力端子を、それぞれ第１、第２、第３、第４の光スイッチの入力端子に１対１に接続したことを特徴とする請求項４に記載の光伝送装置。
【請求項１１】
前記現用系光スイッチ装置および予備系光スイッチ装置は、
光信号が入力される第１乃至第６の入力ポート（２２０３ａ〜２２０３ｆ）と、
光信号を出力する第１乃至第６の出力ポート（２２０４ａ〜２２０４ｆ）と、
２つの出力端子を有し、第１の入力ポート（２２０３ａ）および第２の入力ポート（２２０３ｂ）からの光信号を自己の２つの出力端子から切り替え出力する第１の光スイッチ（２２０１ａ）と、
２つの出力端子を有し、前記第１の光スイッチ（２２０１ａ）の一方の出力端子からの光信号を分岐して自己の２つの出力端子から出力する第１の光分岐器（２２０２ａ）と、
２つの出力端子を有し、第３の入力ポート（２２０３ｃ）および第４の入力ポート（２２０３ｄ）からの光信号を自己の２つの出力端子から切り替え出力する第２の光スイッチ（２２０１ｄ）と、
２つの出力端子を有し、前記第２の光スイッチ（２２０１ｄ）の一方の出力端子からの光信号を分岐して自己の２つの出力端子から出力する第２の光分岐器（２２０２ｂ）と、
前記第１の光スイッチ（２２０１ａ）の他方の出力端子からの光信号、または前記第２の光分岐器（２２０２ｂ）の一方の出力端子からの光信号のいずれかを選択的に第６の出力ポート（２２０４ｆ）に出力する第３の光スイッチ（２２０１ｂ）と、
前記第２の光スイッチ（２２０１ｄ）の他方の出力端子からの光信号、または前記第１の光分岐器（２２０２ａ）の一方の出力端子からの光信号のいずれかを選択的に第５の出力ポート（２２０４ｅ）に出力する第４の光スイッチ（２２０１ｃ）と、
２つの出力端子を有し、第６の入力ポート（２２０３ｆ）からの光信号を分岐して自己の２つの出力端子から出力する第３の光分岐器（２２０２ｄ）と、
２つの出力端子を有し、第５の入力ポート（２２０３ｅ）からの光信号を分岐して自己の２つの出力端子から出力する第４の光分岐器（２２０２ｅ）と、
２つの出力端子を有し、前記第３の光分岐器（２２０２ｄ）の一方の出力端子からの光信号および前記第４の光分岐器（２２０２ｅ）の一方の出力端子からの光信号を自己の２つの出力端子から切り替え出力する第５の光スイッチ（２２０１ｇ）と、
２つの出力端子を有し、前記第３の光分岐器（２２０２ｄ）の他方の出力端子からの光信号および前記第４の光分岐器（２２０２ｅ）の他方の出力端子からの光信号を自己の２つの出力端子から切り替え出力する第６の光スイッチ（２２０１ｈ）と、
前記第１の光分岐器（２２０２ａ）の他方の出力端子からの光信号、または前記第５の光スイッチ（２２０１ｇ）の一方の出力端子からの光信号のいずれかを選択的に出力する第７の光スイッチ（２２０１ｅ）と、
２つの出力端子を有し、前記第７の光スイッチ（２２０１ｅ）から出力される光信号を分岐し、そのうち一方の光信号を自己の一方の出力端子から第３の出力ポート（２２０４ｃ）に出力し、分岐した他方の光信号を自己の他方の出力端子から出力する第５の光分岐器（２２０２ｃ）と、
この第５の光分岐器（２２０２ｃ）の他方の出力端子からの光信号、または前記第５の光スイッチ（２２０１ｇ）の他方の出力端子からの光信号のいずれかを選択的に第４の出力ポート（２２０４ｄ）に出力する第８の光スイッチ（２２０１ｆ）と、
前記第２の光分岐器（２２０２ｂ）の他方の出力端子からの光信号、または前記第６の光スイッチ（２２０１ｈ）の一方の出力端子からの光信号のいずれかを選択的に出力する第９の光スイッチ（２２０１ｉ）と、
２つの出力端子を有し、前記第９の光スイッチ（２２０１ｉ）から出力される光信号を分岐し、そのうち一方の光信号を自己の一方の出力端子から第１の出力ポート（２２０４ａ）に出力し、分岐した他方の光信号を自己の他方の出力端子から出力する第６の光分岐器（２２０２ｆ）と、
この第６の光分岐器（２２０２ｆ）の他方の出力端子からの光信号、または前記第６の光スイッチ（２２０１ｈ）の他方の出力端子からの光信号のいずれかを選択的に第２の出力ポート（２２０４ｂ）に出力する第１０の光スイッチ（２２０１ｊ）とを具備することを特徴とすることを特徴とする請求項４に記載の光伝送装置。
【発明の詳細な説明】
【０００１】
【発明の属する技術分野】
本発明は、例えば波長多重光伝送システムに適用される光スイッチ装置および光伝送装置に関する。
【０００２】
【従来の技術】
近時、高速インターネットや広帯域マルチメディアサービスの本格的な普及を迎え、情報通信ネットワークの伝送路の大容量化と経済性の向上が急務となっている。その中で、光ファイバ通信技術は重要なネットワーク構築技術の一つである。
【０００３】
光ファイバ伝送システムにおいては、これまで一本の光ファイバ中を伝送する信号の速度を時間軸上で高速化する時分割多重（ＴＤＭ：Time Division Multiplexing）方式による大容量化を進めてきており、現状の幹線光伝送システムの標準であるＳＤＨ（Synchronous Digital Hierarchy）方式ではＳＴＭ−６４、１０Ｇｂｐｓのシステムまで実用化に至っている。これは電話回線換算で約１３万回線に相当する。しかしながら近年のトラフィックの爆発的な増大により、さらなる大幅な伝送容量の拡大が急務となっている。
【０００４】
一方、１９９０年代になって実用化された光ファイバ増幅器によって、光ファイバを伝送する光信号を電気信号に変換することなく増幅が可能になった。過去の電気的な中継器では、一旦多重された複数の波長を分離して電気信号に変換し、これを増幅したのちに再度多重する必要があり、長距離伝送には不向きであった。
【０００５】
光ファイバ増幅器では一本の光ファイバ中に異なった複数の波長の光信号を多重して、これを多波長一括で増幅中継することが可能である。このことにより、波長多重（ＷＤＭ：Wavelength Division Multiplexing）方式による伝送容量の飛躍的な拡大と長距離伝送が現実のものになってきた。
【０００６】
現在では、先に述べたＴＤＭ方式による高速化で１０Ｇまで多重し、さらにこれをＷＤＭ伝送することで、一本の光ファイバで１Ｔｂｐｓを越える伝送容量を実現することが可能になっている。このような背景のもとで、光ファイバネットワークを構成する技術に対して新たな要求が起こってきている。
【０００７】
上述したようにＷＤＭ方式により大容量化を進めていくと、通信局(Station)においては一本の伝送路に対して多重する波長数分の複数のＴＤＭネットワークを処理する必要がある。すなわち一つのＴＤＭネットワークに対してＡＤＭ（Add/Drop Multiplexer）を備えて、ＴＤＭ信号内の特定のチャネル単位で信号をAdd/Dropするような従来技術（たとえばSTM-64の伝送信号をSTM-1、STM-4信号ごとにAdd/Dropしている）をＷＤＭ方式にも導入しようとすると、波長数分のＡＤＭを通信局に設置しなければならなくなる。従って、ネットワーク内の一つの局には波長多重数に応じた台数のＡＤＭ装置を設置することになり、フロアスペースの増加、消費電力の増大、ひいてはシステムコストの上昇に陥る。
【０００８】
このように多重する波長数に比例して規模が増大することを避けるため、上述の伝送信号のタイムスロット内までは切替単位とせず、波長多重伝送している波長単位でのAdd/Dropを行うことを基本にしたＯ−ＡＤＭ（Optical Add/Drop Multiplexer）技術の適用が検討されている。
【０００９】
ＯＡＤＭとは、波長多重された複数の波長のうちのアクセスすべき波長のみをAdd/Dropチャネルとして処理するものであり、究極的には全光処理を行うネットワーク(All Optical Netork)を目指すものと言ってよい。この装置を導入することで得られる効果は、例えば、光ファイバ増幅器の出現によって従来の電気的な中継器が波長数分必要であったものが１つで済むようになったのと同様と言える。
【００１０】
図４６を参照して、ＯＡＤＭ技術を用いた波長多重リングネットワークで使用される従来の光伝送装置につき説明する。この図は、現用系の伝送路ファイバ１００１，１００２、１００３，１００４と予備系伝送路ファイバ１００５，１００６、１００７，１００８でリングネットワークを構成する、いわゆるＦＦＲＮ（Four Fiber Ring Network）構成における光伝送装置の構成を示す機能ブロック図である。なおこの種の装置については、例えば以下の参考文献にその概念が記述されている。
Rainer Iraschko et.al“An Optical 4-Fiber bi-directional Line-switched Ring”, OFC’99, TuK3-1, 1999.
図４６において、光伝送装置１０００では伝送路ファイバ１００１，１００４、１００５，１００８をそれぞれ波長多重されて伝送してきた光信号が光波長分波機能部（ＷＤＭ−Ｒ）１０１０、１０１３、１０１４、１０１７によって各波長λ１、λ２、…、λｎ毎に一旦分離される。分離された各波長λ１、λ２、…、λｎの光信号は、例えば光クロスコネクトなどの光マトリクス機能ユニット１０５０に入力される。
【００１１】
光マトリクス機能ユニット１０５０は、予め設定された特定チャネルの波長λｉ、λｊ、λｋの信号を低次群側にドロップ（Drop）するとともに、他の波長はスルー（Through）して隣接局に出力する。また光マトリクス機能ユニット１０５０は、Dropした波長λi、λj、λkのチャネルに自局での信号をアッド（Add）して隣接局に出力する。そして、隣接局に伝送すべき光信号は送信側の光波長合波機能部（ＷＤＭ−Ｔ）１０１１、１０１２、１０１５、１０１６で波長多重され、出力側伝送路ファイバ１００２，１００３、１００６，１００７を介して送出される。
【００１２】
なお本明細書における機能ブロック図では、説明の便宜上、光伝送装置の左側をＷＥＳＴ、右側をＥＡＳＴと称する。また図中、ＳＲＶなる表記は現用系（Service）を意味し、ＰＲＴはこのＳＲＶに対する予備系（Protection）を意味する。
【００１３】
図４７、図４８を参照して、図４６の光伝送装置を対向した場合の伝送路障害時における動作例につき説明する。図４７、図４８では、それぞれ図４６の構成を持つ光伝送装置１と光伝送装置２とが、現用系伝送路（ＳＲＶ伝送路：符号付さず）および予備系伝送路（ＰＲＴ伝送路：符号付さず）を介して双方向に接続されている。
【００１４】
図４７（ａ）の通常状態において、光伝送装置１の光マトリクス機能ユニット１−３の入力Ｉｎ１に入力されたパス（Ｐａｔｈ）は、光マトリクス機能ユニット１−３でＯｕｔ１１に接続される。このパスは、光波長多重分離部１−１を介して光伝送装置１からＳＲＶ伝送路に出力される。
【００１５】
ＳＲＶ系伝送路を介して光伝送装置２に導入されたこのパスは、光伝送装置２の光波長多重分離部２−１を介して光マトリクス機能ユニット２−３のＩｎ２１に入力され、そのＯｕｔ２に接続される。このようにして、光伝送装置１から光伝送装置２に至る一つのパス（Ｐａｔｈ）が設定される。
【００１６】
ここで、上記パスの迂回経路として、光伝送装置１の光マトリクス機能ユニット１−３のＯｕｔ１２は光波長多重分離部１−２に接続され、さらにＰＲＴ伝送路、光伝送装置２の光波長多重分離部２−２を介して光伝送装置２の光マトリクス機能ユニット２−３のＩｎ２２に接続される。
【００１７】
この状態から図４７（ｂ）に示すように、ＳＲＶ伝送路に両方向の障害（図中×印）が発生すると、まず光伝送装置１の光マトリクス機能ユニット１−３で、出力Ｏｕｔ１１と入力Ｉｎ１の接続が開放される。これによりＳＲＶ系のパスは光伝送装置１の内部も含めて完全に不通になる。
【００１８】
次に、図４７（ｃ）に示すように、光伝送装置１の光マトリクス機能ユニット１−３で出力Ｏｕｔ１２と入力Ｉｎ１が接続される。これによりパスをＰＲＴ系を介して光伝送装置２の２−３のＩｎ２２まで到達させることができ、光伝送装置２は当該パスの状態を確認することができる。この状態を経たのち、図４８（ａ）に示すように、光伝送装置２は光マトリクス機能ユニット２−３の入力Ｉｎ２１と出力Ｏｕｔ２との接続を開放し、入力Ｉｎ２２と出力Ｏｕｔ２とを接続する。このようにして、図４８（ｂ）に示すように、光伝送装置１の光マトリクス機能ユニット１−３のＩｎ１と光伝送装置２の光マトリクス機能ユニット２−３の出力Ｏｕｔ２間にＰＲＴ伝送路を介したパスが設定され、当該パスを流れるトラフィックが救済される。
【００１９】
ところで、図４８（ａ）の状態から障害が復旧しても、図４７（ｂ）の段階でＳＲＶ系のパスが完全に不通になってしまっているので、光伝送装置２は復旧したことを知ることができない。すなわち障害が復旧しても、ＳＲＶ系を伝送している回線の正常性を光伝送装置２は確認できない。そこで、障害復旧からの切り戻しのきっかけを得るために例えば次のような手順を設ける必要がある。
【００２０】
（ステップ１）
図４８（ｂ）の状態において、光伝送装置１の光マトリクス機能ユニット１−３の、出力Ｏｕｔ１２と入力Ｉｎ１との接続を開放する。
（ステップ２）
次いで、光伝送装置１の光マトリクス機能ユニット１−３で、出力Ｏｕｔ１１と入力Ｉｎ１を接続する。これにより、障害が復旧しているならば、パスは光伝送装置２の光マトリクス機能ユニット２−３のＩｎ２１にまで達するので、光伝送装置２はＳＲＶ系伝送路が導通したことを認識でき、ＳＲＶ系伝送路パスの状態を確認できる。逆に、障害が復旧していないならばパスは光伝送装置２の光マトリクス機能ユニット２−３のＩｎ２１に達しないので、光伝送装置２はＳＲＶ系伝送路が導通していない旨を知ることができる。
（ステップ３）
ステップ２でＳＲＶ系伝送路が導通したことを認識できた場合、光伝送装置２は光マトリクス機能ユニット２−３の入力Ｉｎ２２と出力Ｏｕｔ２との接続を開放し、入力Ｉｎ２１と出力Ｏｕｔ２を接続する。このようにして、切り戻し処理が開始される。このように、ステップ１〜ステップ３で「ＰＲＴ系に流しているトラフィックを一旦ＳＲＶ系に戻してみて、その導通を確認することでＳＲＶ系の復旧の如何を確かめる」という作業を行う必要がある。
【００２１】
しかしながらこの作業を行うと、ＰＲＴ系に流すことで救済していたトラフィックをＳＲＶ系に切り替えるのであるから、通信回線（すなわちパス）が不通になるという事態に陥る。またＳＲＶ系への切り戻しを行うときだけでなく、ＰＲＴ系への切替を行う際にも同じような処理を行う必要があり、回線が不通になってしまう。
【００２２】
以上をまとめると、信号の交換を光信号の状態で行おうとするＯＡＤＭ装置にあっては、冗長切り替えを実現するにあたり次のような困難があることがわかった。
（ａ）冗長切り替えに際して、トラフィックの迂回先となる系の正常性を確認するための切替処理を行う必要があり、その結果、不要な切り替えや切り戻しが生じる場合がある。
（ｂ）切り戻し要求に対する切り戻しを実行する場合、送信側でＳＲＶ系に接続した後で受信側でＳＲＶ系に接続するという手順が、必ず必要になる。このため、切り替え処理に要する時間が長くなり、ひいては回線が不通になる時間が長くなる。
（ｃ）切り替え要求に対する切り替えを実行する場合、送信側でＰＲＴ系に接続した後で受信側でＰＲＴ系に接続するという手順が、必ず必要になる。このため、切り替え処理に要する時間が長くなり、ひいては回線が不通になる時間が長くなる。
【００２３】
さらに、上記（ａ）とも関連する（ｄ）のような不具合もある。
（ｄ）冗長切り替えに際して、トラフィックの迂回先となる系の正常性を確認するための切替処理を行わないとすれば、例えば障害復旧を確認した者が関係する光伝送装置に専用回線などを用いて復旧を通知するようにすれば良い。しかしながらこのような新たな手順を設けることは冗長切り替えのアルゴリズムを設計する際の制限となり、結果として切替時間の長期化や回線の不通時間の長期化などをもたらす。
もちろん、上記のような困難から派生する例えば伝送品質の低下などの種々の弊害もあり、この点に関しても何らかの解決策を見出す必要がある。
【００２４】
すなわち、光信号の経路切替を光信号のまま行おうとするＯＡＤＭ装置にあっては、冗長切り替えを実現するに際して種々の困難を伴い、これらの困難を解決して簡易に冗長切り替えを行えるようにすることが望まれていた。
【００２５】
【発明が解決しようとする課題】
以上述べたように、ＯＡＤＭ装置で冗長切り替えを実現するには種々の困難があり、これらの困難を解決して簡易に冗長切り替えを行えるようにすることが望まれていた。
【００２６】
本発明は上記事情によりなされたもので、その目的は、冗長切り替えを簡易に行えるようにした光伝送装置を提供することにある。
【００２７】
【課題を解決するための手段】
上記目的を達成するために本発明は、波長多重光を伝送する光伝送路を介して複数の光伝送装置を接続した４ファイバリング伝送システムに設けられ、高次群側と低次群側との間の交換接続を波長単位で行う前記光伝送装置であって、個々の波長に対応して設けられる複数のライン冗長ユニットと、前記複数のライン冗長ユニットからそれぞれ与えられる光信号を波長多重して前記光伝送路に送出するとともに、当該光伝送路を介して到来した波長多重光を波長分離してそれぞれ対応する波長の前記ライン冗長ユニットに入力する波長多重分離部と、前記低次群側のチャネルごとに設けられる複数のトリビュタリユニットと、前記複数のライン冗長ユニットと前記複数のトリビュタリユニットとの相互の波長の割り当てを行う光クロスコネクト部とを具備し、前記ライン冗長ユニットの各々は、前記波長多重分離部とのインタフェースを行うラインインタフェース部と、それぞれ前記ラインインタフェース部および前記光クロスコネクト部に個別に接続され、当該ラインインタフェース部と光クロスコネクト部との間で授受される光信号の交換接続を行う現用系光スイッチ装置および予備系光スイッチ装置とを備え、前記トリビュタリユニットの各々は、前記低次群側とのインタフェースを行うトリビュタリインタフェース部と、このトリビュタリインタフェース部と前記光クロスコネクト部との間で授受される光信号の交換接続を行うトリビュタリスイッチ部とを備え、前記光伝送路は、現用系光伝送路と予備系光伝送路とを備え、前記トリビュタリインタフェース部は、低次群側現用系回線と接続される低次群側現用系用インタフェースと、低次群側予備系回線と接続される低次群側予備系用インタフェースと、低次群側パートタイム回線と接続される低次群側パートタイム用インタフェースとを備え、前記予備系光伝送路に空きがある場合に、前記低次群側パートタイム回線に分離されるパートタイムトラフィックまたは前記低次群側予備系回線に分離されるエクストラトラフィックの少なくとも一つを、当該予備系光伝送路を介して伝送することを特徴とし、さらに、前記現用系光スイッチ装置および予備系光スイッチ装置は、光信号が入力される６ｍ個（ｍは自然数）の入力ポートと、光信号を出力する６ｍ個の出力ポートと、前記入力ポートから入力された光信号をそれぞれ３分岐する６ｍ個の光分岐器と、これらの光分岐器から送出される分岐信号がそれぞれ入力される１８ｍ個（ｍは自然数）の入力端子と、前記出力ポートにそれぞれ接続される６ｍ個の出力端子とを備えた光マトリクススイッチとを具備することを特徴とする。
【００２８】
より具体的には、本発明は、例えば、光信号が入力される６ｍ個（ｍは自然数）の入力ポートと、光信号を出力する６ｍ個の出力ポートと、前記入力ポートから入力された光信号をそれぞれ２分岐する６ｍ個の光分岐器と、これらの光分岐器から送出される分岐信号がそれぞれ入力される１２ｍ個（ｍは自然数）の入力端子と、前記出力ポートにそれぞれ接続される６ｍ個の出力端子とを備えた光マトリクススイッチとを具備することを特徴とする。
【００２９】
このような手段を講じることにより、一つの入力ポートに入力された光信号を、異なる二つの出力ポートから出力することが可能になる。これにより、波長多重伝送システムにおける冗長切り替えに際して、現用/予備系に対してブリッジを行うことが可能になる。
【００３０】
ブリッジ（Bridge）とは、例えばＩＴＵ（International Telecommunication Union）から頒布されたＩＴＵ−Ｔ（Telecommunication Standarzation Sector of ITU）勧告Ｇ．８４１（０７／９５）のTerms and Definitionsの項目3.12に、［The action of transmitting identical traffic on both the working and protection channels.］と定義されている処理で、つまり現用系と予備系に対して同一の信号を接続するという動作である。
【００３１】
これにより、ＯＡＤＭにおける冗長切替のアルゴリズムを、従来の電気マトリクススイッチを用いたＡＤＭ装置におけるアルゴリズム同様に設計することが可能になり、障害発生に対しての回復動作をより安定に実施することができる。また波長多重ネットワークの保守性を高めることができる。また、冗長切り替えに際して切り替え処理時間を短くし、回線が不通になる時間を短くすることが可能になる。
【００３２】
上記参考文献に示されたような光マトリクススイッチでは、現用系に接続されたトラフィックと同じものを予備系にも伝送（bridge状態）し、その後に現用系を切り離して予備系伝送に切り替える(Switch)、というような手順にすることが不可能であるため、障害発生時にはまずSwitchしてみるという制御を行わざるを得ない。このことがＯＡＤＭにおける冗長切り替えの手順を煩雑なものにしていた。
【００３３】
これに対して本発明に係わる光スイッチ装置および光伝送装置では、冗長切り替えの際に直接Switchに移行するのではなく、一旦Bridge状態を設定することができるようになる。これにより、冗長切り替えを、より洗練された手順で実現することが可能になり、ひいては従来の電気システムと同じ手順を実現することも可能になる。
【００３４】
【発明の実施の形態】
以下、図面を参照して本発明の実施形態につき説明する。
図１は、本発明が適用される伝送システムの一例を示す図である。この伝送システムは複数のノード（光伝送装置）１〜４と、現用系伝送路ファイバペア、予備系伝送路ファイバペアからなりノード間をリング状に接続する光ファイバ伝送路とを備える。なお図中にはそれぞれ双方向のペアで合計４本の光ファイバで接続された場合を示すが、本発明はノード間を４ファイバで接続した伝送システムにその適用を限定するものではなく、２ファイバで接続された伝送システムや、４ファイバ以上で接続された伝送システムにも適用可能である。
【００３５】
また、図１には、ノード間をリング状に接続したリングネットワークを示しているが、本発明は、必ずしもリング形態に限定するものではなく、例えば図１のノード間の一部が接続されていない線形のシステムにも適用可能である。また本発明は、１本の伝送路ファイバ上に複数の異なる波長の光信号を多重して伝送するＷＤＭ（Wavelength Division Multiplexing）伝送システムもその適用範囲に含むものである。
【００３６】
ノード１〜４は、各ノードに入出力する全ての信号、すなわち光ファイバ伝送路上の光信号およびトリビュタリ信号、の間の接続関係を状況に応じて設定する機能を有している。ここでトリビュタリ信号とは、リングネットワークの外部から各ノードに入力される信号と、各ノードからリングネットワーク外へ出力される信号を意味し、あるノードに入力されたトリビュタリ信号は、リングネットワークを介して最終的には他のノードのトリビュタリ信号出力として出力される。図中、トリビュタリ信号は各ノードで２チャネル分づつ入出力するように示されているが、本発明では、各ノードに入出力するトリビュタリ信号のチャネル数は２チャネルに限定されるものではない。
【００３７】
以後、本文では便宜上、ノードに接続される伝送路の一方をWEST、他方をEASTと表記する。また、WEST側の現用系伝送路をWest Service（West SRV）、予備系伝送路をWest Protection（West PRT）、EAST側の現用伝送路をEast Service（East SRV）、予備系伝送路をEast Protection（East PRT）と記述する。また、図１のようなネットワークにおける、或るノードのトリビュタリと、他のノードのトリビュタリとの間の情報伝達経路をパス、パスを経由して伝達される情報をトラフィックと記述する。
【００３８】
図２は、図１に示した伝送システムにおけるパスの設定例を示す図である。図２には、信号の送り手と受け手を１対１で接続するパス（以降、Point to Point接続型パスと言う）の例と、１つの送り手に対して複数の受け手を接続するパス（以降、Point to Multi-point接続型パスと言う）の例を示す。
【００３９】
図２において、パスＡはPoint to Point接続型パスの例で、ノード４のTributary 2とノード２のTributary 1との間に設定されたものである。ノード４のTributary 2に入力する信号はEast Service側にAddされノード３に送られる。パスＡに関して中間に位置するノード３は、West Serviceに入力する信号をAdd/DropすることなしにEast Serviceへ接続するいわゆるThrough接続となる。そして、この信号はノード２でDropされてTributary 1から出力される。このようにパスＡは信号の送り手と受け手が1対1で対応するPoint to Point接続になっている。
【００４０】
図２のパスＢはPoint to Multi-point接続型パスの例で、ノード４のTributary 1はWest Service側にAddされ、ノード１ではこの信号をTributary 2にDropするとともにWest Service方向へ出力する。最後に、パスＢはノード２のEast Serviceに入力してTributary 2から出力される。このようにパスＢはノード４が信号の送り手であるのに対して、受け手はノード１、ノード２と複数存在するPoint to Multi-point接続になっている。
【００４１】
図２のパスＣは、パスＢと同様にPoint to Multi-point接続型パスの例であるが、情報の源であるノード２のTributary 1はノード内部で分岐してWest Service、East Serviceの両方向から出力される点がパスＢと異なる。
【００４２】
ネットワークを構成するノード１〜４は上記のように様々な状態のパス設定を実現すると共に、現用系伝送路やノードに障害が発生した場合でも、予備系伝送路を用いることによって回線が復旧するようにパスを再設定する機能が要求される。
【００４３】
次に、ネットワーク上に障害がある場合、および障害が無い場合について、各ノードにおける入出力信号の接続関係について説明する。図３はネットワーク上にPoint to Point接続型パスが設定された場合に、各ノードにおいて設定される入出力信号の接続関係を示している。
【００４４】
図３（ａ）はPoint to Point接続型パス上の入出力端ノードにおける信号接続関係の例を示す図で、伝送路障害が無い場合の接続関係である。Tributary 1はWest Service、Tributary 2はEast Serviceに各々接続されたAdd/Drop設定となっており、同様の設定がなされた他ノードのTributaryとの間で、Point to Point接続型パス設定が成立する。
【００４５】
図３（ｂ）は、図３（ａ）のAdd/Drop設定時に、West Service側伝送路に障害が発生したことにより、回線をProtection側伝送路に切替えて回復する、いわゆるスパン冗長切替を実行して完了した後の接続状態を表している。冗長切替完了後もTributary 1のAdd信号はWest Serviceへ依然として接続されるとともに、回線復旧のためWest Protectionへも接続、つまりブリッジされる。さらにTributary 1へDropされる信号は、West ServiceからWest Protectionへ切替えられる、つまりスイッチされる。
【００４６】
図３（ｃ）は、図３（ａ）のAdd/Drop設定時に、West Service/Protection側伝送路に障害が発生したことにより、回線をEast Protection側伝送路に切替えて回復する、リング冗長切替を実行して完了したあとの接続状態を表している。冗長切替完了後もTributary 1のAdd信号はWest Serviceへ依然として接続されるとともに、回線復旧のためEast Protectionへも接続、つまりブリッジされる。さらにTributary 1へDropされる信号はWest ServiceからEast Protectionへ切替えられる、つまりスイッチされる。
【００４７】
図３（ｄ）はPoint to Point接続型パス上で中間に位置するノードにおける接続状態で、West ServiceとEast Service間がThrough接続になっている。
【００４８】
図３（ｅ）は、図３（ｄ）の状況でWest Service側伝送路に障害が発生したことにより、スパン冗長切替を実行して完了した後の接続状態を表している。冗長切替完了後もEast Serviceに外部から入力される信号はWest Serviceへ依然として接続されるとともに、回線復旧のためWest Protectionへも接続、つまりブリッジされる。さらにEast Serviceから外部へ出力される信号は、接続をWest ServiceからWest Protectionへ切替えられる、つまりスイッチされる。
【００４９】
次に、ネットワーク上にPoint to Multi-point接続型パスが設定された場合における、各ノードの入出力信号接続関係について図１５を用いて説明する。なお、Point to Multi-point接続型パスを設定する場合、各ノードでは図１５に示す接続関係の他に図３に示す接続関係が設定される場合もある。
【００５０】
図１５（ａ）は、Point to Multi-point接続型パス上の中間に位置するノードにおける信号接続状態の例を示す図で、West Serviceに入力した信号は、Tributary 1にDropされるとともに、ノード内部で分岐されてEast Serviceからも出力される。同様にEast Serviceに入力する信号はTributary 2にDropされるとともに、West Serviceからも出力される。
【００５１】
図１５（ｂ）は、図１５（ａ）の状況でWest Service側伝送路に障害が発生したことにより、回線をWest Protection側伝送路に切替えて回復する、いわゆるスパン冗長切替を実行して完了した後の接続状態を表している。冗長切替完了後もEast Serviceに入力する信号はWest Serviceへ依然として接続されるとともに、回線復旧のためWest Protectionへも接続、つまりブリッジされる。さらにTributary 1へDropされる信号はWest ServiceからWest Protectionへ切替えられる、つまりスイッチされる。
【００５２】
図１５（ｃ）は、図１５（ａ）の状況でWest Service/Protection側伝送路に障害が発生したことにより、回線をEast Protection側伝送路に切替えて回復する、いわゆるリング冗長切替を実行して完了した後の接続状態を表している。冗長切替完了後はTributary 1へDropされる信号はWest ServiceからEast Protectionへ切替えられる、つまりスイッチされる。
【００５３】
なお、図１５（ａ）〜（ｃ）は、Point to Multi-point接続型パス上の中間に位置するノードの場合について示しており、同パス上の端に位置する受信ノードの場合では、Dropのみの設定が行われる。また、障害時の信号接続切替も上記したDrop信号のスイッチのみが行われる。
【００５４】
図１５（ｄ）はPoint to Multi-point接続型パスの送信ノードにおける信号接続例で、Tributary 1に入力された信号を内部で２分岐し、West Service、East Serviceの両方に出力する接続となっている。
【００５５】
図１５（ｅ）は、図１５（ｄ）の状況でWest Service側伝送路に障害が発生したことにより、スパン冗長切替を実行して完了した後の接続状態を表している。冗長切替完了後もTributary 1に外部から入力される信号はWest Serviceへ依然として接続されるとともに、回線復旧のためWest Protectionへも接続、つまりブリッジされる。
【００５６】
図１５（ｆ）は、図１５（ｄ）の状況でWest Service/Protection側伝送路に障害が発生したことにより、回線をEast Protection側伝送路に切替えて回復する、リング冗長切替を実行して完了した後の接続状態を表している。冗長切替完了後もTributary 1に外部から入力される信号はWest Serviceへ依然として接続されるとともに、回線復旧のためEast Protectionへも接続、つまりブリッジされる。
【００５７】
なお、図１５（ｄ）〜(ｆ)は、Point to Multi-point接続型パス上でWestおよびEast側双方に信号を送信するノードの場合について示しているが、WestまたはEastいずれか一方にだけ信号を送信する場合もある。この場合の送信ノードではAddのみの設定が行われ、障害時の信号接続切替は図３（ａ）〜（ｃ）と同様な、Add信号のブリッジのみが行われる。
【００５８】
次に、各ノード１〜４に実装され、図３、図１５で示した信号間の接続関係を設定する機能を光学的に実現する光スイッチ装置（以下では、ラインスイッチ部と称する）と、各ノード１〜４の構成につき詳細に説明する。特にラインスイッチ部については、ブリッジを実現するための構成につき詳しく説明する。
【００５９】
本発明に係わるラインスイッチ部を実装するノード１〜４は、例えば図４に示すように構成される。図４のノードは、複数の波長多重分離を行う波長多重分離部１−１〜１−４と、波長毎に両方向のラインとのインタフェースを行うラインインタフェース部２−１−１〜２−１−４と、各波長の信号をAdd/Drop/Through接続することに加えて信号をブリッジする機能を持つラインスイッチ部SRV系3-1-1〜３−１−２と、トリビュタリとのインタフェースを行うトリビュタリインタフェース部６−１−１〜６−１−３と、トリビュタリインタフェースチャネルと波長チャネルの間を任意に接続設定するための光クロスコネクト部４−１〜４−２と、トリビュタリインタフェース部６−１−１〜６−１−３で収容した信号の冗長切り替えを行うトリビュタリスイッチ部SRV系5-1-1〜５−１−２とを備える。
【００６０】
図４において、ラインインタフェース部２−１−１〜２−１−４とラインスイッチ部SRV系3-1-1〜３−１−２とを備えた機能ブロックは、個々の波長の光信号ごとに設けられるもので、したがって波長の多重度が増えるごとにその数が増える。図中、個々の波長を区別するため１〜ｓなるインデックスを付し、当該機能ブロックに＃１〜＃ｓなる符号を付す。
【００６１】
また図４において、トリビュタリスイッチ部SRV系5-1-1〜５−１−２と、トリビュタリインタフェース部６−１−１〜６−１−３とを備えた機能ブロックは、トリビュタリ側（低速側）における各チャネルに対して設けられるもので、したがって低速側チャネル数（ｔ）の増減に応じてその数が変わる。以下では低速側チャネルにｃｈ １〜ｃｈ ｔなる符号を付して区別する。
【００６２】
特に、トリビュタリインタフェース部６−１−３に係わるＰ／Ｔと表記したトラフィックはパートタイムトラフィックと称するものである。パートタイムトラフィックとは、サービストラフィックの伝送にノードのプロテクション系機能ブロックを使っていない場合に、トリビュタリラインサービス系及びトリビュタリラインプロテクション系とは別のトリビュタリラインパートタイム系を使って伝送するサービストラフィックよりも優先度が低いトラフィックである。
【００６３】
さて、先に述べたように、Point to Point接続型パス設定が可能なノードと、Point to Multi-point接続型パス設定が可能なノードとでは、ノードに要求される機能が異なる。以下では、まず（第１の実施形態）〜（第９の実施形態）において、図３で示した接続関係が設定可能なラインスイッチ部（以下、Point to Point接続用ラインスイッチと称する）について説明し、次に（第１０の実施形態）〜（第２２の実施形態）において、図３に示した接続関係に加え、図１５で示した接続関係を設定可能なラインスイッチ部（以下、Point to Multi-point接続用ラインスイッチと称する）について説明する。そして、第２３の実施形態以降では、これより前の実施形態で説明したラインスイッチ部を実装した光伝送装置につき説明する。
【００６４】
＜Point to Point接続用ラインスイッチ実施形態＞
（第１の実施形態）
図５は、本発明の第１の実施形態に係わるラインスイッチ部（３−１−１，３−１−２）の構成を示すブロック図で、請求項２においてｍ＝１の場合に対応する。図において、101a〜101fは入力ポート、102a〜102fは入力信号を２分岐して出力する1×2光スプリッタ、103は光マトリクススイッチ、104a〜104fは出力ポートである。ここで光マトリクススイッチ103は、導入される光信号の経路を外部からの制御信号に応じて変えて出力することにより、任意の入力端子（図示しない）に入力される光信号を、任意の出力端子（図示しない）に出力できる光デバイスである。ここでは、光マトリクススイッチ103として１２個の入力端子と６個の出力端子を有した（１２×６）型のものを使用する。一般にマトリクススイッチは、光スイッチ素子をマトリクス状に接続して形成され、光信号の交換接続を行うデバイスである
なお図４には図示しないが、ノード１〜４はその制御の中枢を担うＣＰＵ（Central Processing Unit）などの制御部を備える。光マトリクススイッチ103への制御信号は、例えばこの制御部により生成され、制御バスなどを介して与えられる。
【００６５】
図５に示した構成によれば、光信号の接続切り替えの手段として光マトリクススイッチ103を用いているので、すべての入力ポート101a〜101fに与えられる入力信号を、任意の出力ポート104a〜104fに接続することが可能になる。このため、図３で示した非障害時の接続設定（図３（ａ），図３（ｄ））を実現することが可能となる。
【００６６】
さらに本実施形態では、各入力信号を1×2光スプリッタ102a〜102fで２分岐したうえで、光マトリクススイッチ103に入力するようにしている。これにより、同一の入力ポートから入力された光信号を、異なる２つの出力ポートから同時に出力することが可能になる。例えばTributary1の入力ポート101eからの光信号を、West Serviceの出力ポート104aと、West Protectionの出力ポート104bとに出力するといった具合にである。
【００６７】
このことは、とりもなおさずブリッジ機能の実現にほかならない。もちろん、スイッチ（Switch）機能も、例えば制御部からの制御信号により光マトリクススイッチ103の切り替え状態の設定を変えることで実現できる。これらのことから図５の構成によれば、図３で示した障害時の接続設定（図３（ｂ），図３（ｃ），図３（ｅ），図３（ｆ））をもすべて実現することが可能となる。
【００６８】
また、図３にはAdd/Drop接続およびThrough接続の非障害時および障害時の接続関係のみを記述してあるが、本実施形態によるラインスイッチ部（３−１−１，３−１−２）では、例えばWest Serviceに出力していた信号をEast Protectionに出力し、West Serviceの入力信号の接続先にEast Protection入力を接続するといったループバック接続や、Tributary1または2の入力信号をTributary1または2に出力するといったノード内折り返し接続など、図３で記した接続以外の接続設定も可能である。
【００６９】
なお、図５における光マトリクススイッチは、入力端子数が１２、出力端子数が６の（１２×６）の規模のものを使用した例を示しているが、本発明は１２×６の規模の光マトリクススイッチに限るものではなく、１２×６よりも大きい規模の光マトリクススイッチを用いた場合でも同様の機能が実現できる。以下では種々の構成のラインスイッチについて説明するが、説明中に記した光マトリクススイッチの規模に対して、より大きい規模の光マトリクススイッチが適用できるのは同様である。
【００７０】
このように本実施形態では、入力ポート101a〜101fに入力される光信号をそれそれ1×2光スプリッタ102a〜102fで２分岐したうえで、光マトリクススイッチ103の１２個の入力端子に入力する。そして、これらの光信号の経路を光マトリクススイッチ103の切り替え設定に応じて６個の出力ポート104a〜104fのうち任意の出力ポートから出力するようにし、同一の入力ポートからの光信号を異なる２つの出力ポートから出力できるようにしている。
【００７１】
このようにしたので、冗長切り替えの際にスイッチのみならず、ブリッジをも行えるようになる。したがって、冗長切り替えの際に同一のトラフィックを現用系伝送路および予備系伝送路の両者に流すことができ、サービストラフィックの切り替え先となる系の正常性を確認することが極めて容易に行えるようになる。
もちろん、その際に回線が不通になる虞も無くする事ができる。
【００７２】
したがって、例えば障害復旧を確認した者が関係する光伝送装置に専用回線などを用いて復旧を通知するなどの新たな手順を設ける必要が無くなり、冗長切り替えのアルゴリズムを設計する際の制限を緩和して、いわば従来の電気クロスコネクトを用いたＳＤＨ光伝送装置が実施するのと同様の手順で冗長切り替えを行うことが可能になる。このようなことから、冗長切り替えを簡易に行うことが可能になる。
【００７３】
（第２の実施形態）
図６は、本発明の第２の実施形態に係わるラインスイッチ部（３−１−１，３−１−２）の構成を示すブロック図であり、図５の構成を拡張して、請求項２においてｍが任意の自然数の場合に対応する。すなわち本実施形態では、第１の実施形態の構成を基本として複数チャネル（＃１〜＃ｍ）に対応したラインスイッチにつき説明する。ここでｍは波長多重数、すなわちチャネル数を意味する。
【００７４】
図６では、West Service、West Protection、East Service、East Protection、Tributary 1、Tributary 2を一組として、個々のチャネル＃１〜＃ｍにつき入力ポート101a〜101fと、各入力ポート101a〜101fからの光信号を２分岐する1×2光スプリッタ102a〜102fと、出力ポート104a〜104fとを備える。そして、各チャネルにつき６個、総数で６ｍ個の1×2光スプリッタ102a〜102fの分岐出力を光マトリクススイッチ1030に入力し、その出力をチャネル＃１〜＃ｍの任意の出力ポート104a〜104fから取り出すようにしている。本実施形態では、光マトリクススイッチ1030として１２ｍ個の入力端子と６ｍ個の出力端子を有した（１２ｍ×６ｍ）型のものを使用する。
【００７５】
上記構成によれば、個々のチャネルについては第１の実施形態と同様の接続関係を実現することが可能になる。すなわちブリッジを行えるようになるので、冗長切り替えに係わる第１の実施形態と同様の効果を得ることができる。
【００７６】
また、複数チャネル分の信号の接続設定を１つの光マトリクススイッチ1030で処理しているため、異なるチャネル間での信号の交換が可能となる。したがって、例えば図３のThrough接続の場合を考えると、例えばチャネル＃1のWest Serviceに入力した信号を、波長間を跨ってチャネル＃ｍのEast Service側に出力することが可能となる。このような設定の場合、ＷＤＭ伝送路上では入力信号と出力信号間で波長が変わったことになるので、波長変換が実現したことと等価である。
【００７７】
また、図３で示したAdd接続の場合は、例えばチャネル＃1のTributary1に入力した信号を、チャネル＃ｍのWest Service側に出力することができる。すなわち、チャネル＃1〜＃ｍの任意のトリビュタリ信号を、任意のチャネルの出力ポート104a〜104fに出力できるようになるので、Tributary入力信号に対しては波長の選択が可能である。
【００７８】
（第３の実施形態）
図７は、本発明の第３の実施形態に係わるラインスイッチ部（３−１−１，３−１−２）の構成を示すブロック図で、請求項３においてｍ＝１の場合に対応する。図において、301a〜301fは入力ポート、302は8×6光マトリクススイッチ、303aは光マトリクススイッチ302の出力側に接続されて光マトリクス出力信号を２分岐し、一方の分岐出力がWest Service出力ポート304aに接続され、他方の分岐出力が再度光マトリクススイッチ302の入力側に接続される1×2光スプリッタである。303bは光マトリクススイッチ302の出力側に接続されて光マトリクス出力信号を２分岐し、一方の分岐出力がEast Service出力ポート304cに接続され、他方の分岐出力が再度光マトリクススイッチ302の入力側に接続される1×2光スプリッタ、304a〜304fは出力ポートである。
【００７９】
図７に示した構成によれば、光信号の接続切り替えの手段として、光マトリクススイッチ302を用いているので、すべての入力ポート301a〜301fに与えられる入力信号を任意の出力ポート304a〜304fに接続することが可能になる。このため、図３で示した非障害時の接続設定（図３（ａ），図３（ｄ））を実現することが可能となる。
【００８０】
また本実施形態では、WestおよびEastのService側への出力光信号を1×2光スプリッタ303a，303bで２分岐し、互いの分岐出力の一方を再度光マトリクススイッチ302に与えるようにしている。これにより、Service出力ポートに出力されたのと同じトラフィックを、Protection出力ポートにも出力することが可能になる。すなわち、同一の入力ポートから入力された光信号を、ServiceおよびProtectionの２つの出力ポートから同時に出力することが可能になる。例えばTributary1の入力ポート301eからの光信号を、West Serviceの出力ポート304aと、West Protectionの出力ポート304bとに出力するといった具合にである。
これにより、上記第１の実施形態と同様、ブリッジ機能を実現することが可能になる。もちろん、スイッチ（Switch）機能も、例えば制御部からの制御信号により光マトリクススイッチ302の切り替え状態の設定を変えることで実現できる。これらのことから図７の構成によれば、図３で示した障害時の接続設定（図３（ｂ），図３（ｃ），図３（ｅ），図３（ｆ））をもすべて実現することが可能となる。
【００８１】
また、図３にはAdd/Drop接続およびThrough接続の非障害時および障害時の接続関係のみを記述してあるが、本実施形態によるラインスイッチでは、例えばWest Serviceに出力していた信号をEast Protectionに出力し、West Serviceの入力信号の接続先にEast Protection入力を接続するといったループバック接続やノード内折り返し接続など、図３で記した接続設定以外の接続設定も可能である。
【００８２】
（第４の実施形態）
図８は、本発明の第４の実施形態に係わるラインスイッチ部（３−１−１，３−１−２）の構成を示すブロック図であり、図７の構成を拡張して、請求項３においてｍが任意の自然数の場合に対応する。すなわち本実施形態では、第３の実施形態の構成を基本として複数チャネル（＃１〜＃ｍ）に対応したラインスイッチにつき説明する。
【００８３】
図８では、West Service、West Protection、East Service、East Protection、Tributary 1、Tributary 2を一組として、個々のチャネル＃１〜＃ｍについては入力ポート301a〜301fと、1×2光スプリッタ303a，303bと、出力ポート304a〜304fとを備えて図７と同様の構成をなし、さらに光マトリクススイッチを８ｍ入力６ｍ出力の（８ｍ×６ｍ）型とした。
【００８４】
上記構成によれば、個々のチャネルについては第１の実施形態と同様の接続関係を実現することが可能になる。すなわちブリッジを行えるようになるので、冗長切り替えに係わる第１の実施形態と同様の効果を得ることができる。また、複数チャネル分の信号の接続設定を１つの光マトリクススイッチ3020で処理しているため、異なるチャネル間での信号の交換が可能となる。これにより波長変換や波長選択も可能となる。
【００８５】
（第５の実施形態）
図９は、本発明の第５の実施形態に係わるラインスイッチ部（３−１−１，３−１−２）の構成を示すブロック図で、請求項４においてｍ＝１の場合に対応する。
【００８６】
図９において、符号5b01a〜5b01fは入力ポート、5b06a〜5b06fは出力ポート、5b02〜5b05は1×2光スプリッタ、5b09はAdd/Dropポート付き光マトリクススイッチである。
【００８７】
図１０を参照して、Add/Dropポート付き光マトリクススイッチにつき概念的に説明する。図１０に示すAdd/Dropポート付き光マトリクススイッチは、Ｋ本の入力端子5a01とＸ本の出力端子5a02とに加え、Ｘ本のAdd端子5a03とＫ本のDrop端子5a04を備える。
【００８８】
Add/Dropポート付き光マトリクススイッチは、例えば制御信号が与えられて自己内部の光経路を変えることにより、入力端子5a01における任意の入力光信号Ｌ(１≦Ｌ≦Ｋ)のいずれか、またはアド端子5a03における任意のアド光信号Ｎ(１≦Ｎ≦Ｘ)のいずれかを、出力端子5a02における任意の出力Ｎ(１≦Ｎ≦Ｘ)として選択的に出力する。
【００８９】
ただし、入力端子5a01から入力された入力光信号Ｌ(１≦Ｌ≦Ｋ)が出力端子5a02のいずれかに接続されない場合に限り、この入力光信号Ｌはドロップ端子5a04のＬ番目(１≦Ｌ≦Ｋ)から、透過的に出力される。
【００９０】
さて、図９のAdd/Dropポート付き光マトリクススイッチは、８×６型のもので、８個の入力端子と、６個の出力端子と、２個の拡張入力（アド）端子とを備える。そして、入力ポート5b01a〜5b01dからそれぞれ入力されるWest SRV、West PRT、East SRV、East PRTの各トラフィックは、４個の入力端子に入力される。Tributary1、Tributary2は、それぞれ1×2光スプリッタ5b02、5b03で２分岐されて残りの４個の入力端子に入力される。
【００９１】
出力端子は、それぞれ出力ポート5b06b、5b06cに接続され、West PRT、East PRTの出力に至る。また２つの出力端子がそれぞれ出力ポート5b06e、5b06fに接続され、Tributary1、Tributary2の出力に至る。残りの出力端子はそれぞれ1×2光スプリッタ5b04、5b05に接続され、その一方の分岐端はそれぞれ出力ポート5b06a、5b06dに接続されてWest SRV、East SRVの出力に至る。そして、1×2光スプリッタ5b04、5b05の他方の分岐端が、それぞれ光マトリクススイッチ5b09のアド端子に接続される。
【００９２】
図９に示した構成によれば、光信号の接続切り替えの手段として、光マトリクススイッチを用いているので、すべての入力ポート5b01a〜5b01fに与えられる入力信号を、任意の出力ポート5b06a〜5b06fに接続することが可能になる。このため、図３で示した非障害時の接続設定（図３（ａ），図３（ｄ））を実現することが可能となる。
【００９３】
さらにTributary1、2の入力信号は、5b02、5b03の1×2光スプリッタで２分岐された後に光マトリクススイッチに入力されているので、出力ポート5b06a〜5b06fの任意の２つに同時に接続することが可能になる。また光マトリクススイッチ5b09の出力段に接続された光スプリッタ5b04により、West Serviceへの出力とWest Protectionへの出力とを同一の信号にすることが可能である。同様に、光スプリッタ5b05によってEast ServiceとEast Protectionからの出力も同一の信号にすることができる。
【００９４】
これらの作用により、ブリッジ機能を実現することが可能になる。また、スイッチ機能も、制御信号などを与えて光マトリクススイッチ5b09の接続設定を変えることにより実現可能である。したがって、図３で示した障害時の接続設定（図３（ｂ），図３（ｃ），図３（ｅ），図３（ｆ））をもすべて実現することが可能である。
【００９５】
また、図３にはAdd/Drop接続およびThrough接続の非障害時および障害時の接続関係のみを記述してあるが、本実施形態によるラインスイッチでは、例えばWest Serviceに出力していた信号をEast Protectionに出力し、West Serviceの入力信号の接続先にEast Protection入力を接続するといったループバック接続や、Tributary1または2の入力信号をTributary1または2に出力するといったノード内折り返し接続など、図３で記した接続以外の接続設定も可能である。
【００９６】
なお、図９における光マトリクススイッチは、入力端子数が８、出力端子数が６（８×６）の規模のものを使用した例を示しているが、本発明は８×６の規模の光マトリクススイッチに限るものではなく、８×６よりも大きい規模の光マトリクススイッチを用いた場合でも同様の機能が実現できる。
【００９７】
（第６の実施形態）
図１１は、本発明の第６の実施形態に係わるラインスイッチ部（３−１−１，３−１−２）の構成を示すブロック図で、請求項４においてｍを任意の自然数とした場合に対応する。すなわち本実施形態では、第５の実施形態の構成を基本として複数チャネル（＃１〜＃ｍ）に対応したラインスイッチにつき説明する。
【００９８】
図１１では、West Service、West Protection、East Service、East Protection、Tributary 1、Tributary 2を一組として、＃1〜＃ｍまでの６ｍ個の入出力ポート組601〜60mの間に、第５の実施形態と同様に接続された1×2光スプリッタ（符号付さず）と８ｍ×６ｍの規模の光マトリクススイッチ６０７とが配置されている。
光マトリクススイッチ６０７は、８ｍ個の入力端子と、６ｍ個の出力端子と、２ｍ個のアド端子とを有する。
【００９９】
すなわち、６ｍ個の入力ポートのうち４ｍ個が光マトリクススイッチ６０７の入力端子に接続され、残りの２ｍ個の入力ポートが1×2光スプリッタに接続され、これらの1×2光スプリッタの分岐出力は光マトリクススイッチ６０７の残りの入力端子に接続される。
【０１００】
また、光マトリクススイッチ６０７の４ｍ個の出力端子が出力ポートに接続される。残りの２ｍ個の出力端子は1×2光スプリッタに接続され、その一方の分岐端が残りの出力ポートに接続される。そして、1×2光スプリッタの他方の分岐端が、アドポートにそれぞれ接続される。
【０１０１】
このような構成により、各チャネル＃１〜＃ｍについては第５の実施形態と同様の接続関係を実現できるだけでなく、複数チャネル分の信号の接続設定を１つの光マトリクススイッチ６０７で処理しているため、チャネル間での信号の交換が可能となる。したがって、図３で示したThrough接続の場合は、例えばチャネル＃1のWest Serviceに入力した信号を、チャネル＃ｍのEast Service側に出力することができる。このような設定の場合、ＷＤＭ伝送路上では入力信号と出力信号間で波長が変わったことになるので、波長変換が実現したことと等価である。
【０１０２】
また、図３で示したAdd接続の場合は、例えばチャネル＃1のTributary1に入力した信号を、チャネル＃ｍのWest Service側に出力することができる。すなわち、チャネル＃1〜＃ｍの任意のトリビュタリ信号を、任意のチャネルの出力ポートに出力できるので、Tributary入力信号に対しては波長の選択が可能である。
【０１０３】
（第７の実施形態）
図１２は、本発明の第１の実施形態に係わるラインスイッチ部（３−１−１，３−１−２）の構成を示すブロック図で、請求項５においてｍ＝１の場合に対応する。図１２において、符号701a〜701fは入力ポート、702a〜702fは入力信号を3分岐して出力する1×3光スプリッタ、703a〜703fは3×1光スイッチ、704a〜704eは出力ポートである。3×1光スイッチは、３つの入力のうち１つを選択して出力する光素子である。
【０１０４】
入力ポート701a〜701fからの光信号は、それぞれ1×3光スプリッタ702a〜702fで３つに分岐される。1×3光スプリッタ702aからの分岐出力は、それぞれ3×1光スイッチ703c，703d，703eに入力される。1×3光スプリッタ702bからの分岐出力は、それぞれ3×1光スイッチ703c，703e，703fに入力される。1×3光スプリッタ702cからの分岐出力は、それぞれ3×1光スイッチ703a，703b，703fに入力される。1×3光スプリッタ702dからの分岐出力は、それぞれ3×1光スイッチ703a，703e，703fに入力される。1×3光スプリッタ702eからの分岐出力は、それぞれ3×1光スイッチ703a，703b，703dに入力される。1×3光スプリッタ702fからの分岐出力は、それぞれ3×1光スイッチ703b，703c，703dに入力される。
【０１０５】
図１２に示した構成では、入力信号を出力可能性のある最大のポート数分（ここでは３）だけ分岐し、それぞれを出力可能性のある出力ポートに接続された光スイッチに接続し、光スイッチが複数の信号の中から１つを選択して出力する構成となっている。図３に示した接続関係によれば、入力信号の出力先は最大３ポートであるので、本構成では３分岐のスプリッタと３×１の光スイッチを用いている。このような構成により、図３で示した非障害時、障害時のすべての設定が可能となる。
【０１０６】
（第８の実施形態）
図１３は、本発明の第８の実施形態に係わるラインスイッチ部（３−１−１，３−１−２）の構成を示すブロック図であり、図１２の構成を拡張して、請求項５においてｍが任意の自然数の場合に対応する。すなわち本実施形態では、第７の実施形態の構成を基本として複数チャネル（＃１〜＃ｍ）に対応したラインスイッチにつき説明する。
【０１０７】
図１３では、West Service、West Protection、East Service、East Protection、Tributary 1、Tributary 2を一組として、＃1〜＃ｍまでのｍ個の入出力ポートの組の間に、第７の実施形態と同様に接続された1×3光スプリッタと6個の3m×mの光スイッチが配置されている。
【０１０８】
すなわち、図１２の1×3光スプリッタ702a〜702fを各チャネル＃１〜＃ｍごとに設け、それぞれの分岐出力を3m×m光スイッチに、図１２と同様に接続した。
【０１０９】
このような構成により、第７の実施形態と同様に、図３で示した非障害時、障害時のすべての設定が可能であるだけでなく、波長変換や波長選択も可能となる。
【０１１０】
（第９の実施形態）
図１４は、本発明によるラインスイッチ部の第９の実施形態を説明する図であり、請求項６に対応する。図１４において、901a〜901jは2×2光スイッチ、902a〜902dは1×2光スプリッタである。West Serviceに入力する信号は、901a、901b、901dを経由してTributary 1に出力でき、901a、901b、901g、902aを経由してEast Serviceから出力することもできる。Tributary 1に入力する信号は902c、901j、902dを経由してWest Serviceから出力が可能である。East Serviceに入力する信号は、901e、901f、901cを経由してTributary 2に出力でき、901e、901f、901j、902dを経由してWest Serviceから出力することもできる。Tributary 2に入力する信号は902b、901g、902aを経由してEast Serviceから出力が可能である。
【０１１１】
光スイッチ901aは、入力ポート903aおよび入力ポート903bからの光信号を自己の２つの出力端子から切り替え出力する。光スイッチ901bは、光スイッチ901aの一方の出力端子からの光信号を自己の２つの出力端子のいずれかから選択的に出力する。光スイッチ901eは、入力ポート903cおよび入力ポート903dからの光信号を自己の２つの出力端子から切り替え出力する。
【０１１２】
光スイッチ901fは、光スイッチ901eの一方の出力端子からの光信号を自己の２つの出力端子のいずれかから選択的に出力する。光スイッチ901cは、光スイッチ901aの他方の出力端子からの光信号、または光スイッチ901fの一方の出力端子からの光信号のいずれかを選択的に出力ポート904fに出力する。光スイッチ901dは、光スイッチ901eの他方の出力端子からの光信号、または光スイッチ901bの一方の出力端子からの光信号のいずれかを選択的に出力ポート904eに出力する。
【０１１３】
光スプリッタ902bは、入力ポート903fからの光信号を分岐して自己の２つの出力端子から出力する。光スプリッタ902cは、入力ポート903eからの光信号を分岐して自己の２つの出力端子から出力する。
【０１１４】
光スイッチ901gは、光スイッチ901bの他方の出力端子からの光信号、または光スプリッタ902bの一方の出力端子からの光信号のいずれかを選択的に出力する。光スイッチ901jは、光スイッチ901fの他方の出力端子からの光信号、または光スプリッタ902cの一方の出力端子からの光信号のいずれかを選択的に出力する。
【０１１５】
光スプリッタ902aは、光スイッチ901gから出力される光信号を分岐し、そのうち一方の光信号を自己の一方の出力端子から出力ポート904cに出力し、分岐した他方の光信号を自己の他方の出力端子から出力する。光スイッチ901hは、光スプリッタ902aの他方の出力端子からの光信号、または光スプリッタ902cの他方の出力端子からの光信号のいずれかを選択的に出力ポート904dに出力する。
【０１１６】
光スプリッタ902dは、光スイッチ901jから出力される光信号を分岐し、そのうち一方の光信号を自己の一方の出力端子から出力ポート904aに出力し、分岐した他方の光信号を自己の他方の出力端子から出力する。光スイッチ901iは、光スプリッタ902dの他方の出力端子からの光信号、または光スプリッタ902bの他方の出力端子からの光信号のいずれかを選択的に出力ポート904bに出力する。
【０１１７】
このような構成によれば、図３で示した非障害時のAdd/Drop、Throughの各接続設定を実現することが可能である。
さらに、East Serviceから出力される信号は光スプリッタ902aによって２分岐されてEast Protectionからも同時に出力することができ、同様にWest Serviceから出力される信号は光スプリッタ902dによって２分岐されてWest Protectionからも同時に出力することができる。
【０１１８】
またTributary 1に入力する信号は光スプリッタ902cによって２分岐されてWest Serviceに出力する信号と同じものをEast Protectionからも出力が可能であり、同様にTributary 2の入力信号は光スプリッタ902bによって２分岐されてEast ServiceとWest Protectionの両方から同時に出力が可能である。これによりブリッジ機能を実現することができる。
【０１１９】
また、Tributary 1から出力される信号は901a、901b、901dを経由してWest Service、West Protection入力信号の何れか、901e、901dを経由してEast Service、East Protection入力信号の何れかを選択することができる。同様に、Tributary 2から出力される信号は901a、901cを経由してWest Service、West Protection入力信号の何れか、901e、901f、901cを経由してEast Service、East Protection入力信号の何れかを選択することができる。従ってスイッチ機能も実現できる。
【０１２０】
これらの特徴から図３で示した障害時の接続設定をすべて実現することが可能である。
【０１２１】
＜Point to Multi-point接続用ラインスイッチ実施形態＞
（第１０の実施形態）
図１６は、本発明の第１０の実施形態に係わるラインスイッチ部（３−１−１，３−１−２）の構成を示すブロック図で、請求項７においてｍ＝１の場合に対応する。図１６において、1001a〜1001fは入力ポート、1002a〜1002fは入力信号を４分岐して出力する1×4光スプリッタ、1003は光マトリクススイッチ、1004a〜1004fは出力ポートである。
【０１２２】
図１６に示した構成によれば、入力信号を４分岐した上、接続切り替え手段として光マトリクススイッチを用いているので、すべての入力信号は最大で４つの任意の出力ポートに同時に接続することができる。このため、図３で示した接続設定に加え、図１５で示した非障害時および障害時のすべての接続設定を実現することが可能である。
【０１２３】
また、図３および図１５には、Add/Drop接続、Through接続、Drop＆ContinueおよびDual Homing接続の非障害時および障害時の接続関係のみを記述してあるが、本実施形態によるラインスイッチでは、例えばWest Serviceに出力していた信号をEast Protectionに出力し、West Serviceの入力信号の接続先にEast Protection入力を接続するといったループバック接続や、Tributary1または2の入力信号をTributary1または2に出力するといったノード内折り返し接続など、図３および図１５で記した接続以外の接続設定も可能である。
【０１２４】
（第１１の実施形態）
図１７は、本発明の第１１の実施形態に係わるラインスイッチ部（３−１−１，３−１−２）の構成を示すブロック図であり、図１６の構成を拡張して、請求項７においてｍが任意の自然数の場合に対応する。すなわち本実施形態では、第１０の実施形態の構成を基本として複数チャネル（＃１〜＃ｍ）に対応したラインスイッチにつき説明する。
【０１２５】
図１７では、West Service、West Protection、East Service、East Protection、Tributary 1、Tributary 2を一組として、＃1〜＃ｍまでのｍ個（mはチャネル数）の入出力ポートの組の間に、第１０の実施形態と同様に接続された1×4光スプリッタと24m×6mの規模の光マトリクススイッチが配置されている。
【０１２６】
このような構成により、各チャネルについては第１０の実施形態と同様の接続関係を実現できるだけでなく、複数チャネル分の信号の接続設定を１つの光マトリクススイッチで処理しているため、チャネル間での信号の交換が可能となる。したがって、図３で示したThrough接続の場合は、例えばチャネル＃1のWest Serviceに入力した信号を、チャネル＃ｍのEast Service側に出力することができる。このような設定の場合、ＷＤＭ伝送路上では入力信号と出力信号間で波長が変わったことになるので、波長変換が実現したことと等価である。
【０１２７】
また、図３で示したAdd接続の場合は、例えばチャネル＃1のTributary1に入力した信号を、チャネル＃ｍのWest Service側に出力することができる。すなわち、チャネル＃1〜＃ｍの任意のトリビュタリ信号を、任意のチャネルの出力ポートに出力できるので、Tributary入力信号に対しては波長の選択が可能である。
【０１２８】
（第１２の実施形態）
図１８は、本発明の第１２の実施形態に係わるラインスイッチ部（３−１−１，３−１−２）の構成を示すブロック図で、請求項８においてｍ＝１の場合に対応する。図において、1201a〜1201fは入力ポート、1202a〜1202f は入力信号を２分岐して出力する1×2光スプリッタ、1203は14×6光マトリクススイッチ、1204aは光マトリクススイッチの出力側に接続されて光マトリクス出力信号を２分岐し、その一方がWest Service出力ポートに接続され、他方は再度光マトリクススイッチの入力側に接続される1×2光スプリッタ、1204bは光マトリクススイッチの出力側に接続されて光マトリクス出力信号を２分岐し、その一方がEast Service出力ポートに接続され、他方は再度光マトリクススイッチの入力側に接続される1×2光スプリッタ、1204a〜1204eは出力ポートである。
【０１２９】
図１８に示した構成によれば、入力信号を２分岐した上、接続切り替え手段として光マトリクススイッチを用いているので、すべての入力信号は最大で２つの任意の出力ポートに同時に接続することができる。このため、図３で示した接続設定に加え、図１５で示した非障害時の接続設定を実現することが可能である。さらに、２個の1×2光スプリッタにより分岐された信号が、それぞれWestおよびEast Serviceに出力されると同時に、再度光マトリクススイッチを介してWestまたはEast Protectionに出力することが可能であるので、ブリッジ機能を実現することができる。またスイッチ機能も制御信号で光マトリクススイッチの設定を変えることにより実現できる。したがって、図３および図１５で示した障害時の接続設定をすべて実現することが可能である。
【０１３０】
また、図３および図１５には、Add/Drop接続、Through接続、Drop＆ContinueおよびDual Homing接続の非障害時および障害時の接続関係のみを記述してあるが、本実施形態によるラインスイッチでは、例えばWest Serviceに出力していた信号をEast Protectionに出力し、West Serviceの入力信号の接続先にEast Protection入力を接続するといったループバック接続や、Tributary1または2の入力信号をTributary1または2に出力するといったノード内折り返し接続など、図３で記した接続設定以外の接続設定も可能である。
【０１３１】
（第１３の実施形態）
図１９は、本発明の第１３の実施形態に係わるラインスイッチ部（３−１−１，３−１−２）の構成を示すブロック図であり、図１８の構成を拡張して、請求項８においてｍが任意の自然数の場合に対応する。すなわち本実施形態では、第１２の実施形態の構成を基本として複数チャネル（＃１〜＃ｍ）に対応したラインスイッチにつき説明する。
【０１３２】
図１９では、West Service、West Protection、East Service、East Protection、Tributary 1、Tributary 2を一組として、＃1〜＃ｍまでのｍ個（mはチャネル数）の入出力ポートの組の間に、第１２の実施形態と同様に接続された1×2光スプリッタ、14m×6m規模の光マトリクススイッチおよび第１２の実施形態と同様に接続された1×2光スプリッタとが配置されている。
【０１３３】
このような構成により、第１２の実施形態と同様に、図３で示した非障害時、障害時のすべての設定が可能であるだけでなく、波長変換や波長選択も可能となる。
【０１３４】
（第１４の実施形態）
図２０は、本発明の第１４の実施形態に係わるラインスイッチ部（３−１−１，３−１−２）の構成を示すブロック図で、請求項９においてｍ＝１の場合に対応する。図において、1401a〜1401fは入力ポート、1402a〜1402f は入力信号を２分岐して出力する1×2光スプリッタ、1403aは10×4光マトリクススイッチ、1403bは4×2光マトリクススイッチ、1404aは光マトリクススイッチ1403aの出力側に接続されて光マトリクス出力信号を２分岐し、その一方がWest Service出力ポートに接続され、他方は再度光マトリクススイッチの入力側に接続される1×2光スプリッタ、1404bは光マトリクススイッチ1403aの出力側に接続されて光マトリクス出力信号を２分岐し、その一方がEast Service出力ポートに接続され、他方は再度光マトリクススイッチの入力側に接続される1×2光スプリッタ、1405a〜1405fは出力ポートである。
【０１３５】
本実施形態では、第１２の実施形態で用いていた１個の光マトリクススイッチをより規模の小さい２個の光マトリクススイッチに分割した構成となっており、1×2光スプリッタ1402a〜1402dの出力の一方が光マトリクススイッチ1403bに、他の1×2光スプリッタの出力が光マトリクススイッチ1403aに入力されている。また、Tributary1および2の出力ポートは、光マトリクススイッチ1403bに接続されており、その他の出力ポートは光マトリクススイッチ1403aの出力側に、一部のポートは光スプリッタを介して接続されている。
【０１３６】
図２０に示した構成によれば、２分岐されたWestおよびEastのServiceおよびProtection入力信号の内の一方が、光マトリクススイッチ1403bを経由してTributary 1または2に出力できる構成となっているので、これら４つの信号を２つのTributary出力ポートに任意に接続できる。また、WestおよびEastのServiceおよびProtection入力信号の他方の分岐された信号は光マトリクススイッチ1403aを経由して、任意にWestおよびEastのServiceおよびProtectionの出力ポートに接続できる。したがって、WestおよびEastのServiceおよびProtectionの各入力信号については、Tributaryへの出力とWestおよびEastのServiceおよびProtectionへの出力が同時に可能となる。Tributaryの各入力信号については、分岐された信号の双方が光マトリクススイッチ1403aに入力されているので、WestおよびEastのServiceおよびProtectionに対し、最大２つの出力ポートに同時に接続できる。このため、図３で示した接続設定に加え、図１５で示した非障害時の接続設定を実現することが可能である。
【０１３７】
さらに、２個の1×2光スプリッタにより分岐された信号が、それぞれWestおよびEast Serviceに出力されると同時に、再度光マトリクススイッチを介してWestまたはEast Protectionに出力することが可能であるので、ブリッジ機能を実現することができる。またスイッチ機能も制御信号で光マトリクススイッチの設定を変えることにより実現できる。したがって、図３および図１５で示した障害時の接続設定をすべて実現することが可能である。
【０１３８】
また、図３および図１５には、Add/Drop接続、Through接続、Drop＆ContinueおよびDual Homing接続の非障害時および障害時の接続関係のみを記述してあるが、本実施形態によるラインスイッチでは、例えばWest Serviceに出力していた信号をEast Protectionに出力し、West Serviceの入力信号の接続先にEast Protection入力を接続するといったループバック接続など、図３で記した接続設定以外の接続設定も可能である。
【０１３９】
（第１５の実施形態）
図２１は、本発明の第１５の実施形態に係わるラインスイッチ部（３−１−１，３−１−２）の構成を示すブロック図であり、図２０の構成を拡張して、請求項１においてｍが任意の自然数の場合に対応する。すなわち本実施形態では、第１４の実施形態の構成を基本として複数チャネル（＃１〜＃ｍ）に対応したラインスイッチにつき説明する。
【０１４０】
図２１では、West Service、West Protection、East Service、East Protection、Tributary 1、Tributary 2を一組として、＃1〜＃ｍまでのｍ個（mはチャネル数）の入出力ポートの組の間に、第１４の実施形態と同様に接続された1×2光スプリッタ、10m×4m規模およびの4m×2m規模の光マトリクススイッチ、第１４の実施形態と同様に接続された1×2光スプリッタとが配置されている。
【０１４１】
このような構成により、第１４の実施形態と同様に、図３で示した非障害時、障害時のすべての設定が可能であるだけでなく、波長変換や波長選択も可能となる。
【０１４２】
（第１６の実施形態）
図２２は、本発明の第１６の実施形態に係わるラインスイッチ部（３−１−１，３−１−２）の構成を示すブロック図で、請求項１０においてｍ＝１の場合に対応する。図において、1601a〜1601fは入力ポート、1602a〜1602f は入力信号を２分岐して出力する1×2光スプリッタ、1603aは8×4光マトリクススイッチ、1603bは6×4光マトリクススイッチ、1604aは光マトリクススイッチ1603a、1603bの出力側に接続されて光マトリクス出力信号を２分岐し、その一方がWest Service出力ポートに接続され、他方は再度光マトリクススイッチの1603a入力側に接続される2×2光カプラ・スプリッタ、1604bは光マトリクススイッチ1603a、1603bの出力側に接続されて光マトリクス出力信号を２分岐し、その一方がEast Service出力ポートに接続され、他方は再度光マトリクススイッチ1603a、の入力側に接続される2×2光カプラ・スプリッタ、1605a〜1605fは出力ポートである。
【０１４３】
本実施形態では、第１２の実施形態で用いていた１個の光マトリクススイッチをより規模の小さい２個の光マトリクススイッチに分割した構成となっており、1×2光スプリッタ1602a〜1602fの出力の一方が光マトリクススイッチ1603aに、他の1×2光スプリッタの出力が光マトリクススイッチ1603bに入力されている。また、Tributary1および2の出力ポートは、光マトリクススイッチ1603bに接続されており、その他の出力ポートは光マトリクススイッチ1603aの出力側に、一部のポートは2×2光カプラ・スプリッタを介して接続されている。
【０１４４】
図２２に示した構成によれば、２分岐された入力信号の内の一方が、光マトリクススイッチ1603bを経由してTributary 1または2に出力できる構成となっているので、これら6つの信号を２つのTributary出力ポートに任意に接続できる。また、２分岐された他方の入力信号は光マトリクススイッチ1603aを経由して、任意にWestおよびEastのServiceおよびProtectionの出力ポートに接続できる。
【０１４５】
したがって、WestおよびEastのServiceおよびProtectionの各入力信号については、Tributaryへの出力とWestおよびEastのServiceおよびProtectionへの出力が同時に可能となる。Tributaryの各入力信号については、分岐された信号が光マトリクススイッチ1603a、1603bの双方に入力され、各光マトリクススイッチを経由後に、2×2光カプラ・スプリッタで結合されてWestおよびEastのServiceポートに出力できる構成となっているので、WestおよびEastのServiceおよびProtectionに対し、最大２つの出力ポートに同時に接続できる。このため、図３で示した接続設定に加え、図１５で示した非障害時の接続設定を実現することが可能である。
【０１４６】
さらに、２個の1×2光スプリッタにより分岐された信号が、それぞれWestおよびEast Serviceに出力されると同時に、再度光マトリクススイッチ1603aを介してWestまたはEast Protectionに出力することが可能であるので、ブリッジ機能を実現することができる。またスイッチ機能も制御信号で光マトリクススイッチの設定を変えることにより実現できる。したがって、図３および図１５で示した障害時の接続設定をすべて実現することが可能である。
【０１４７】
また、図３および図１５には、Add/Drop接続、Through接続、Drop＆ContinueおよびDual Homing接続の非障害時および障害時の接続関係のみを記述してあるが、本実施形態によるラインスイッチでは、例えばWest Serviceに出力していた信号をEast Protectionに出力し、West Serviceの入力信号の接続先にEast Protection入力を接続するといったループバック接続や、Tributary1または2の入力信号をTributary1または2に出力するといったノード内折り返し接続など、図３で記した接続設定以外の接続設定も可能である。
【０１４８】
（第１７の実施形態）
図２３は、本発明の第１７の実施形態に係わるラインスイッチ部（３−１−１，３−１−２）の構成を示すブロック図であり、図２２の構成を拡張して、請求項１０においてｍが任意の自然数の場合に対応する。すなわち本実施形態では、第１６の実施形態の構成を基本として複数チャネル（＃１〜＃ｍ）に対応したラインスイッチにつき説明する。
【０１４９】
図２３では、West Service、West Protection、East Service、East Protection、Tributary 1、Tributary 2を一組として、＃1〜＃ｍまでのｍ個（mはチャネル数）の入出力ポートの組の間に、第１６の実施形態と同様に接続された1×2光スプリッタ、8m×4m規模およびの6m×4m規模の光マトリクススイッチ、第１４の実施形態と同様に接続された2×2光カプラ・スプリッタ光スプリッタとが配置されている。
【０１５０】
このような構成により、第１６の実施形態と同様に、図３で示した非障害時、障害時のすべての設定が可能であるだけでなく、波長変換や波長選択も可能となる。
【０１５１】
（第１８の実施形態）
図２４は、本発明の第１８の実施形態に係わるラインスイッチ部（３−１−１，３−１−２）の構成を示すブロック図で、請求項１１においてｍ＝１の場合に対応する。図において、1801a〜1801fは入力ポート、1803a〜1803fは入力信号を２分岐して出力する1×2光スプリッタ、1805は図１０で示したAdd/Drop機能付き光マトリクススイッチ、1803g、1803hは光マトリクススイッチの出力を２分岐して一方を光マトリクススイッチのAddポートに接続するための1×2光スプリッタ、1802a〜1802fは出力ポートである。
【０１５２】
図２４に示した構成によれば、West Service、East Service、Tributary 1、Tributary 2はそれぞれ２分岐した後、光マトリクススイッチに入力する。West Protection、East Protectionはそれぞれ２分岐された後、一方は光マトリクススイッチの入力ポート、他方はAddポートに接続される。さらに光マトリクススイッチ出力は1803g、1803hによってさらに２分岐して一方をAddポートに接続することでWest ServiceとWest ProtectionおよびEast ServiceとEast Protectionから同一信号を出力できるよう接続される。
【０１５３】
上記の様な接続と光マトリクススイッチの機能により、West Service、East Service、Tributary 1、2に入力する各信号はWest Service、West Protection、East Service、East Protectionの任意の方向に、また最大４方向同時に信号を出力することが可能である。またWest Protectionに入力する信号は任意の出力ポートに接続できることに加えて、同時にEast Service、East Protectionの最大3方向同時に信号を出力することが可能である。同様にEast Protectionに入力する信号は任意の出力ポートに接続できることに加えて、同時にWest Service、West Protectionの最大３方向同時に信号を出力することが可能である。このため、図３で示した接続設定に加え、図１５で示した非障害時および障害時のすべての接続設定を実現することが可能である。
【０１５４】
また、図３および図１５には、Add/Drop接続、Through接続、Drop＆ContinueおよびDual Homing接続の非障害時および障害時の接続関係のみを記述してあるが、本実施形態によるラインスイッチでは、例えばWest Serviceに出力していた信号をEast Protectionに出力し、West Serviceの入力信号の接続先にEast Protection入力を接続するといったループバック接続や、Tributary1または2の入力信号をTributary1または2に出力するといったノード内折り返し接続など、図３および図１５で記した接続以外の接続設定も可能である。
【０１５５】
（第１９の実施形態）
図２５は、本発明の第１９の実施形態に係わるラインスイッチ部（３−１−１，３−１−２）の構成を示すブロック図であり、図２４の構成を拡張して、請求項１１においてｍが任意の自然数の場合に対応する。すなわち本実施形態では、第１８の実施形態の構成を基本として複数チャネル（＃１〜＃ｍ）に対応したラインスイッチにつき説明する。
【０１５６】
図２５では、West Service、West Protection、East Service、East Protection、Tributary 1、Tributary 2を一組として、＃1〜＃ｍまでのｍ個（mはチャネル数）の入出力ポートの組の間に、第１８の実施形態と同様に接続された1×2光スプリッタと10m×6mの規模の光マトリクススイッチが配置されている。
【０１５７】
このような構成により、各チャネルについては第１８の実施形態と同様の接続関係を実現できるだけでなく、複数チャネル分の信号の接続設定を１つの光マトリクススイッチで処理しているため、チャネル間での信号の交換が可能となる。したがって、図３で示したThrough接続の場合は、例えばチャネル＃1のWest Serviceに入力した信号を、チャネル＃ｍのEast Service側に出力することができる。このような設定の場合、ＷＤＭ伝送路上では入力信号と出力信号間で波長が変わったことになるので、波長変換が実現したことと等価である。
【０１５８】
また、図３で示したAdd接続の場合は、例えばチャネル＃1のTributary1に入力した信号を、チャネル＃ｍのWest Service側に出力することができる。すなわち、チャネル＃1〜＃ｍの任意のトリビュタリ信号を、任意のチャネルの出力ポートに出力できるので、Tributary入力信号に対しては波長の選択が可能である。
【０１５９】
（第２０の実施形態）
図２６は、本発明の第２０の実施形態に係わるラインスイッチ部（３−１−１，３−１−２）の構成を示すブロック図で、請求項１２においてｍ＝１の場合に対応する。図において、2001a〜2001fは入力ポート、2002a〜2002fは入力信号を4分岐して出力する1×4光スプリッタ、2003 a〜2003fは4×1光スイッチ、2004a〜2004eは出力ポートである。4×1光スイッチは、4入力のうち１つを選択して出力する光素子である。
【０１６０】
図２６に示した構成では、入力信号を出力可能性のある最大のポート数分（ここでは４つ）だけ分岐し、それぞれを出力可能性のある出力ポートに接続された光スイッチに接続し、光スイッチが複数の信号の中から１つを選択して出力する構成となっている。
【０１６１】
図１５に示した接続関係によれば、入力信号の出力先は最大４ポートであるので、本構成では４分岐のスプリッタと4×1の光スイッチを用いている。このような構成により、図１５で示した非障害時、障害時のすべての設定が可能となる。さらに、図３で示した接続関係を実現するには、入力信号の出力先は最大3ポートでよいので本構成では、図３で示した非障害時、障害時のすべての設定も可能となる。
【０１６２】
（第２１の実施形態）
図２７は、本発明の第２１の実施形態に係わるラインスイッチ部（３−１−１，３−１−２）の構成を示すブロック図であり、図２０の構成を拡張して、請求項１２においてｍが任意の自然数の場合に対応する。すなわち本実施形態では、第２０の実施形態の構成を基本として複数チャネル（＃１〜＃ｍ）に対応したラインスイッチにつき説明する。
【０１６３】
図２７では、West Service、West Protection、East Service、East Protection、Tributary 1、Tributary 2を一組として、＃1〜＃ｍまでのｍ個の入出力ポートの組の間に、第２０の実施形態と同様に接続された1×4光スプリッタと6個の4m×mの光スイッチが配置されている。
【０１６４】
このような構成により、第２０の実施形態と同様に、図３および図１５で示した非障害時、障害時のすべての設定が可能であるだけでなく、波長変換や波長選択も可能となる。
【０１６５】
（第２２の実施形態）
図２８は、本発明によるラインスイッチ部の第２２の実施形態を説明する図であり、請求項１３に対応する。図２８において、2202a〜2202fは1×2光スプリッタ、2201a〜2201jは2×2光スイッチ、2203a〜2203fは入力ポート、2204a〜2204fは出力ポートである。
【０１６６】
West Serviceに入力する信号は、2201a、2202a、2201cを経由してTributary 1に出力でき、2201a、2202a、2201e、2202cを経由してEast Serviceから出力することもできる。Tributary 1に入力する信号は2202e、2201h、2201i、2202fを経由してWest Serviceから出力が可能である。East Serviceに入力する信号は、2201d、2202b、2201bを経由してTributary 2に出力でき、2201d、2202b、2201i、2202fを経由してWest Serviceから出力することもできる。Tributary 2に入力する信号は2202d、2201g、2201e、2202cを経由してEast Serviceから出力が可能である。
【０１６７】
光スイッチ2201aは、入力ポート2203aおよび入力ポート2203bからの光信号を自己の２つの出力端子から切り替え出力する。光分岐器2202aは、光スイッチ2201aの一方の出力端子からの光信号を分岐して自己の２つの出力端子から出力する。光スイッチ2201dは、入力ポート2203cおよび入力ポート2203dからの光信号を自己の２つの出力端子から切り替え出力する。
【０１６８】
光分岐器2202bは、光スイッチ2201dの一方の出力端子からの光信号を分岐して自己の２つの出力端子から出力する。光スイッチ2201bは、光スイッチ2201aの他方の出力端子からの光信号、または光分岐器2202bの一方の出力端子からの光信号のいずれかを選択的に出力ポート2204fに出力する。光スイッチ2201cは、光スイッチ2201dの他方の出力端子からの光信号、または光分岐器2202aの一方の出力端子からの光信号のいずれかを選択的に出力ポート2204eに出力する。
【０１６９】
光分岐器2202dは、入力ポート2203fからの光信号を分岐して自己の２つの出力端子から出力する。光分岐器2202eは、入力ポート2203eからの光信号を分岐して自己の２つの出力端子から出力する。光スイッチ2201gは、光分岐器2202dの一方の出力端子からの光信号および光分岐器2202eの一方の出力端子からの光信号を自己の２つの出力端子から切り替え出力する。
【０１７０】
光スイッチ2201hは、光分岐器2202dの他方の出力端子からの光信号および光分岐器2202eの他方の出力端子からの光信号を自己の２つの出力端子から切り替え出力する。光スイッチ2201eは、光分岐器2202aの他方の出力端子からの光信号、または光スイッチ2201gの一方の出力端子からの光信号のいずれかを選択的に出力する。光分岐器2202cは、光スイッチ2201eから出力される光信号を分岐し、そのうち一方の光信号を自己の一方の出力端子から出力ポート2204cに出力し、分岐した他方の光信号を自己の他方の出力端子から出力する。
【０１７１】
光スイッチ2201fは、光分岐器2202cの他方の出力端子からの光信号、または光スイッチ2201gの他方の出力端子からの光信号のいずれかを選択的に出力ポート2204dに出力する。光スイッチ2201iは、光分岐器2202bの他方の出力端子からの光信号、または光スイッチ2201hの一方の出力端子からの光信号のいずれかを選択的に出力する。光分岐器2202fは、光スイッチ2201iから出力される光信号を分岐し、そのうち一方の光信号を自己の一方の出力端子から出力ポート2204aに出力し、分岐した他方の光信号を自己の他方の出力端子から出力する。光スイッチ2201jは、光分岐器2202fの他方の出力端子からの光信号、または光スイッチ2201hの他方の出力端子からの光信号のいずれかを選択的に出力ポート2204bに出力する。
【０１７２】
このような構成によれば、図３で示した非障害時のAdd/Drop、Throughの各接続設定を実現することが可能である。
【０１７３】
さらに、East Serviceから出力される信号は光分岐器2202cによって２分岐されてEast Protectionからも同時に出力することができ、同様にWest Serviceから出力される信号は光分岐器2202fによって２分岐されてWest Protectionからも同時に出力することができる。またTributary 1および2に入力する信号は光分岐器2202e、2202dによって２分岐されたうえそれぞれ、光スイッチ2201hと2201i、2201gと2201eを経由した後、光分岐器2202c、2202fによってさらに２分岐されるので最大で４つの方向、すなわちWest Service、West Protection、East Service、East Protectionに同一信号を出力することが可能である。上記の機能によりブリッジ機能を実現することができる。
【０１７４】
また、Tributary 1から出力される信号は2201a、2202a、2201cを経由してWest Service、West Protection入力信号の何れか、または2201d、2201cを経由してEast Service、East Protection入力信号の何れかを選択することができる。同様に、Tributary 2から出力される信号は2201a、2201bを経由してWest Service、West Protection入力信号の何れか、2201d、2202b、2201bを経由してEast Service、East Protection入力信号の何れかを選択することができる。これによりスイッチ機能も実現できる。
【０１７５】
これらの特徴から図３で示した障害時の接続設定、および図１５で示したPoint to Multi-point接続設定をすべて実現することが可能である。
【０１７６】
＜冗長有り，クロスコネクトスイッチ有り，４ファイバシステム実施形態＞
（第２３の実施形態）
次に、本発明に係わる光伝送装置の実施形態につき説明する。以下に示す光伝送装置は、上記第１〜第２２の実施形態で示したラインスイッチのいずれかを実装している。まず図２９〜図３８を参照して、図４の構成の光伝送装置の切り替え機能につき説明する。なお図２９〜図３８においては便宜上、ライン側は一つの波長、トリビュタリ側は一つのチャネルのみに簡略化して表示する。
なお、本実施形態の光伝送装置は、装置内部に切り替え可能な冗長系を有し、ライン側とトリビュタリ側との波長アサインを行う光クロスコネクト部を有し、４ファイバ伝送システムに使用される。また本実施形態の光伝送装置は、請求項１４に対応する。
【０１７７】
図２９は、図４の光伝送装置がサービストラフィックをWEST方向にAdd/Drop形態で収容する場合で、かつネットワーク上に障害がない正常状態でのトラフィックの流れを示す図である。なお以下の説明では、トリビュタリ側からライン側への信号の流れを［Add方向］、ライン側からトリビュタリ側への信号の流れを［Drop方向］として説明する。
【０１７８】
［Add方向］
トリビュタリインタフェース部サービス系６−１−１で収容したサービストラフィックは、必要に応じて信号形式変換、信号モニタ或いは終端処理された後、トリビュタリスイッチ部サービス系５−１−１及びトリビュタリスイッチ部プロテクション系５−１−２に分岐出力される。トリビュタリスイッチ部サービス系５−１−１では、トリビュタリインタフェース側が正常な場合にはトリビュタリインタフェース部サービス系６−１−１からの信号を選択し、光クロスコネクト部サービス系４−１に出力する。
【０１７９】
光クロスコネクト部サービス系４−１では、トリビュタリスイッチ部サービス系５−１−１で選択したAdd方向サービストラフィックを、接続設定に従って波長チャネルに接続し、ラインスイッチ部サービス系３−１−１に出力する。ラインスイッチ部サービス系３−１−１では、光クロスコネクト部サービス系４−１からのAdd方向サービストラフィックをWESTサービス方向のラインインタフェース部２−１−１に接続し出力する。
【０１８０】
ラインインタフェース部WESTサービス系２−１−１では、ラインスイッチ部サービス系３−１−１、光クロスコネクト部サービス系４−１及びトリビュタリスイッチ部サービス系５−１−１全てが正常な場合にはラインスイッチ部サービス系３−１−１からの出力を、前記いずれかの機能ブロックで障害が検出された場合にはラインスイッチ部プロテクション系３−１−２を選択し、必要に応じてラインオーバーヘッド信号の挿入処理を行い波長多重分離部WESTサービス系１−１に出力する。
【０１８１】
波長多重分離部WESTサービス系１−１では、ラインインタフェース部WESTサービス系２−１−１からの信号を、他の波長用ラインインタフェース部WESTサービス系からの信号と波長多重してWESTサービスラインに出力する。
【０１８２】
［Drop方向］
波長多重分離部WESTサービス系１−１で収容した、波長多重されたライン信号は、波長分離されてラインインタフェース部WESTサービス系２−１−１に出力される。ラインインタフェース部WESTサービス系２−１−１では、必要に応じてライン信号の終端処理を行い、ラインスイッチ部サービス系３−１−１及びラインスイッチ部プロテクション系３−１−２に分岐出力する。
【０１８３】
ラインスイッチ部サービス系３−１−１では、ネットワーク上に障害がない場合にはラインインタフェース部WESTサービス系２−１−１からの信号を選択し、Drop方向サービストラフィックとして光クロスコネクト部サービス系４−１に出力する。
【０１８４】
光クロスコネクト部サービス系４−１では、ラインスイッチ部サービス系３−１−１からのDrop方向サービストラフィックを、接続設定に従ってトリビュタリチャネルに接続し、トリビュタリスイッチ部サービス系５−１−１に出力する。
【０１８５】
トリビュタリスイッチ部サービス系５−１−１では、光クロスコネクト部サービス系４−１からのDrop方向サービストラフィックを、トリビュタリインタフェース部サービス系６−１−１及びトリビュタリインタフェース部プロテクション系６−１−２に分岐出力する。
【０１８６】
トリビュタリインタフェース部サービス系６−１−１では、ラインスイッチ部サービス系３−１−１、光クロスコネクト部サービス系４−１及びトリビュタリスイッチ部サービス系５−１−１全てが正常な場合にはトリビュタリスイッチ部サービス系５−１−１からの出力を、前記いずれかの機能ブロックで障害が検出された場合にはトリビュタリスイッチ部プロテクション系５−１−２を選択し、必要に応じてトリビュタリオーバーヘッド信号の挿入処理を行ってトリビュタリ信号を出力する。
【０１８７】
図３０を参照して、図２９においてWESTサービスライン上に障害が発生した場合の切り替え動作の途中段階を説明する。
［Add方向］
図２９からサービストラフィックの流れが変わる部分のみを説明する。ラインスイッチ部サービス系３−１−１では、光クロスコネクト部サービス系４−１からのAdd方向サービストラフィックをWESTサービス方向のラインインタフェース部２−１−１及びWESTプロテクション方向のラインインタフェース部２−１−２に分岐出力する。
【０１８８】
ラインインタフェース部WESTサービス系２−１−１及び波長多重分離部WESTサービス系の動作は正常時と同様である。
【０１８９】
ラインインタフェース部WESTプロテクション系２−１−２では、ラインスイッチ部サービス系３−１−１からの出力を選択し、必要に応じてラインオーバーヘッド信号の挿入処理を行い波長多重分離部WESTプロテクション系１−１に出力する。
【０１９０】
波長多重分離部WESTプロテクション系１−２では、ラインインタフェース部WESTプロテクション系２−１−２からの信号を、他の波長用ラインインタフェース部WESTプロテクション系からの信号と波長多重してWESTプロテクションラインに出力する。
【０１９１】
ところで、ラインスイッチ部サービス系３−１−１は、光クロスコネクト部サービス系４−１を介して与えられた光信号に対してブリッジを行う。このラインに対する信号分岐出力（ブリッジ）により、WEST側で対向しているノードでは、プロテクションラインを通してサービストラフィックを受信することができ、図３１で説明するプロテクションラインへの切り替えを行う前に受信ライン信号の正常性の確認できると共に、切り替え時の瞬断時間を最小限に押さえることができる。
［Drop方向］
この状態では、図２９とサービストラフィックの流れは同様である。
【０１９２】
図３１は、WESTサービスライン上に障害が発生した場合の切り替え動作の図３０に続く最終段階でのトラフィックの状態を示す図である。
［Add方向］
Add方向のサービストラフィックの流れは、図３０と同様である。
［Drop方向］
図２９からサービストラフィックの流れが変わる部分のみを説明する。波長多重分離部WESTサービス系１−１及びラインインタフェース部WESTサービス系２−１−１の動作は、正常時と同様である。
波長多重分離部WESTプロテクション系１−２で収容した、波長多重されたライン信号は、波長分離されてラインインタフェース部WESTプロテクション系２−１−２に出力される。ラインインタフェース部WESTプロテクション系２−１−２では、必要に応じてライン信号の終端処理を行い、ラインスイッチ部サービス系３−１−１及びラインスイッチ部プロテクション系３−１−２に分岐出力する。
【０１９３】
ラインスイッチ部サービス系３−１−１では、WESTサービスライン上に障害があるため、ラインインタフェース部WESTプロテクション系２−１−２からの信号を選択（スイッチ）し、Drop方向サービストラフィックとして光クロスコネクト部サービス系４−１に出力する。以下は、正常時と同様である。
【０１９４】
図３２は、別のトラフィック設定例である。図３２は、サービストラフィックをWEST方向にAdd/Drop形態で、同時にエクストラトラフィックをWEST方向にAdd/Drop形態で収容する場合で、かつネットワーク上に障害がない正常状態でのトラフィックの流れを示す図である。
【０１９５】
図３２においてサービストラフィックの流れは図２９と同様であり、このノードのプロテクション系は全く使われていない。この場合、使われていないプロテクション系を使ってエクストラトラフィックを収容することができる。
【０１９６】
以下、エクストラトラフィックの流れを説明する。エクストラトラフィックとは、サービストラフィックの伝送にノードのプロテクション系機能ブロックを使っていない場合に、トリビュタリラインプロテクション系を使って伝送するサービストラフィックよりも優先度が低いトラフィックである。
【０１９７】
［Add方向］
トリビュタリインタフェース部プロテクション系６−１−２で収容したエクストラトラフィックは、必要に応じて信号形式変換、信号モニタ或いは終端処理された後、トリビュタリスイッチ部プロテクション系５−１−２に出力される。
【０１９８】
トリビュタリスイッチ部プロテクション系５−１−２では、トリビュタリインタフェースサービス側が正常な場合にはトリビュタリインタフェース部プロテクション系６−１−２からの信号を選択し、光クロスコネクト部プロテクション系４−２に出力する。
【０１９９】
光クロスコネクト部プロテクション系４−２では、トリビュタリスイッチ部プロテクション系５−１−２で選択したAdd方向エクストラトラフィックを、接続設定に従って波長チャネルに接続し、ラインスイッチ部プロテクション系３−１−２に出力する。
【０２００】
ラインスイッチ部プロテクション系３−１−２では、光クロスコネクト部プロテクション系４−２からのAdd方向エクストラトラフィックをWESTプロテクション方向のラインインタフェース部２−１−２に接続し出力する。
【０２０１】
ラインインタフェース部WESTプロテクション系２−１−２では、ネットワーク状に障害が無い場合にはラインスイッチ部プロテクション系３−１−２を選択し、必要に応じてラインオーバーヘッド信号の挿入処理を行い波長多重分離部WESTプロテクション系１−２に出力する。
【０２０２】
波長多重分離部WESTプロテクション系１−２では、ラインインタフェース部WESTプロテクション系２−１−２からの信号を、他の波長用ラインインタフェース部WESTプロテクション系からの信号と波長多重してWESTプロテクションラインに出力する。
【０２０３】
［Drop方向］
波長多重分離部WESTプロテクション系１−２で収容した、波長多重されたライン信号は、波長分離されてラインインタフェース部WESTプロテクション系２−１−２に出力される。
【０２０４】
ラインインタフェース部WESTプロテクション系２−１−２では、必要に応じてライン信号の終端処理を行い、ラインスイッチ部サービス系３−１−１及びラインスイッチ部プロテクション系３−１−２に分岐出力する。
【０２０５】
ラインスイッチ部プロテクション系３−１−２では、ラインスイッチ部サービス系３−１−１、光クロスコネクト部サービス系４−１及びトリビュタリスイッチ部サービス系５−１−１全てが正常な場合にはラインインタフェース部WESTプロテクション系２−１−２からの信号を選択し、Drop方向エクストラトラフィックとして光クロスコネクト部プロテクション系４−２に出力する。
【０２０６】
光クロスコネクト部プロテクション系４−２では、ラインスイッチ部プロテクション系３−１−２からのDrop方向エクストラトラフィックを、接続設定に従ってトリビュタリチャネルに接続し、トリビュタリスイッチ部プロテクション系５−１−２に出力する。
【０２０７】
トリビュタリスイッチ部プロテクション系５−１−２では、光クロスコネクト部プロテクション系４−２からのDrop方向エクストラトラフィックを、トリビュタリインタフェース部サービス系６−１−１及びトリビュタリインタフェース部プロテクション系６−１−２に分岐出力する。
【０２０８】
トリビュタリインタフェース部プロテクション系６−１−２では、ラインスイッチ部サービス系３−１−１、光クロスコネクト部サービス系４−１及びトリビュタリスイッチ部サービス系５−１−１全てが正常な場合にはトリビュタリスイッチ部プロテクション系５−１−２からの出力を選択し、必要に応じてトリビュタリオーバーヘッド信号の挿入処理を行ってトリビュタリラインプロテクション系に出力する。
【０２０９】
図３３は、図３２に対して、WESTサービスライン上に障害が発生した場合の切り替え動作の途中段階でのトラフィックの流れを示す図である。サービストラフィックの流れは、図３０と同様である。以下、図３２からエクストラトラフィックの流れが変わる部分のみを説明する。
【０２１０】
［Add方向］
ラインインタフェース部WESTプロテクション系２−１−２では、WESTサービスラインの障害に伴い、サービストラフィックをWESTプロテクションラインに分岐出力（ブリッジ）するため、ラインスイッチ部サービス系３−１−１を選択し、必要に応じてラインオーバーヘッド信号の挿入処理を行い波長多重分離部WESTプロテクション系１−２に出力する。
【０２１１】
波長多重分離部WESTプロテクション系１−２では、ラインインタフェース部WESTプロテクション系２−１−２からの信号を、他の波長用ラインインタフェース部WESTプロテクション系からの信号と波長多重してWESTプロテクションラインに出力する。
この段階で、WESTプロテクションラインを通して伝送されていたエクストラトラフィックは伝送不能になる。
【０２１２】
［Drop方向］
この状態では、図３２とエクストラトラフィックの流れは同様である。
図３４は、図３２に対して、WESTサービスライン上に障害が発生した場合の切り替え動作の最終段階でのトラフィックの流れを示す図である。サービストラフィックの流れは、図３１と同様である。以下、図３３からエクストラトラフィックの流れが変わる部分のみを説明する。
【０２１３】
［Add方向］
Add方向のエクストラトラフィックの流れは、図３３と同様である。
［Drop方向］
WEST側で対向しているノードでは、図３３の段階でプロテクションラインにサービストラフィックを分岐出力（ブリッジ）しているので、既にWESTプロテクションラインを通してエクストラトラフィックを受信することはできない。
【０２１４】
図３５は、サービストラフィックをWEST方向にAdd/Drop形態で、同時にパートタイムトラフィックをWEST方向にAdd/Drop形態で収容する場合で、かつネットワーク上に障害がない正常状態でのトラフィックの流れを示す図である。
【０２１５】
図３５においてサービストラフィックの流れは図２９と同様であり、このノードのプロテクション系は全く使われていないことになる。この場合、使われていないプロテクション系を使ってパートタイムトラフィックを収容することができる。以下、パートタイムトラフィックの流れを説明する。
【０２１６】
［Add方向］
トリビュタリインタフェース部パートタイム系６−１−３で収容したパートタイムトラフィックは、必要に応じて信号形式変換、信号モニタ或いは終端処理された後、トリビュタリスイッチ部プロテクション系５−１−２に出力される。
【０２１７】
トリビュタリスイッチ部プロテクション系５−１−２では、トリビュタリインタフェースサービス側が正常な場合にはトリビュタリインタフェース部パートタイム系６−１−３からの信号を選択し、光クロスコネクト部プロテクション系４−２に出力する。
【０２１８】
光クロスコネクト部プロテクション系４−２では、トリビュタリスイッチ部プロテクション系５−１−２で選択したAdd方向パートタイムトラフィックを、接続設定に従って波長チャネルに接続し、ラインスイッチ部プロテクション系３−１−２に出力する。
【０２１９】
ラインスイッチ部プロテクション系３−１−２では、光クロスコネクト部プロテクション系４−２からのAdd方向パートタイムトラフィックをWESTプロテクション方向のラインインタフェース部２−１−２に接続し出力する。
【０２２０】
ラインインタフェース部WESTプロテクション系２−１−２では、ネットワーク状に障害が無い場合にはラインスイッチ部プロテクション系３−１−２を選択し、必要に応じてラインオーバーヘッド信号の挿入処理を行い波長多重分離部WESTプロテクション系１−２に出力する。
【０２２１】
波長多重分離部WESTプロテクション系１−２では、ラインインタフェース部WESTプロテクション系２−１−２からの信号を、他の波長用ラインインタフェース部WESTプロテクション系からの信号と波長多重してWESTプロテクションラインに出力する。
【０２２２】
［Drop方向］
波長多重分離部WESTプロテクション系１−２で収容した、波長多重されたライン信号は、波長分離されてラインインタフェース部WESTプロテクション系２−１−２に出力される。
【０２２３】
ラインインタフェース部WESTプロテクション系２−１−２では、必要に応じてライン信号の終端処理を行い、ラインスイッチ部サービス系３−１−１及びラインスイッチ部プロテクション系３−１−２に分岐出力する。
【０２２４】
ラインスイッチ部プロテクション系３−１−２では、ラインスイッチ部サービス系３−１−１、光クロスコネクト部サービス系４−１及びトリビュタリスイッチ部サービス系５−１−１全てが正常な場合にはラインインタフェース部WESTプロテクション系２−１−２からの信号を選択し、Drop方向パートタイムトラフィックとして光クロスコネクト部プロテクション系４−２に出力する。
【０２２５】
光クロスコネクト部プロテクション系４−２では、ラインスイッチ部プロテクション系３−１−２からのDrop方向パートタイムトラフィックを、接続設定に従ってトリビュタリチャネルに接続し、トリビュタリスイッチ部プロテクション系５−１−２に出力する。
【０２２６】
トリビュタリスイッチ部プロテクション系５−１−２では、光クロスコネクト部プロテクション系４−２からのDrop方向パートタイムトラフィックを、トリビュタリインタフェース部パートタイム系６−１−３に出力する。
【０２２７】
トリビュタリインタフェース部パートタイム系６−１−３では、ラインスイッチ部サービス系３−１−１、光クロスコネクト部サービス系４−１及びトリビュタリスイッチ部サービス系５−１−１全てが正常な場合にはトリビュタリスイッチ部プロテクション系５−１−２からの出力を選択し、必要に応じてトリビュタリオーバーヘッド信号の挿入処理を行ってトリビュタリラインパートタイム系に出力する。
【０２２８】
図３６は、図３５に対して、WESTサービスライン上に障害が発生した場合の切り替え動作の途中段階でのトラフィックの流れを示す図である。サービストラフィックの流れは、図３０と同様である。以下、図３５からパートタイムトラフィックの流れが変わる部分のみを説明する。
【０２２９】
［Add方向］
ラインインタフェース部WESTプロテクション系２−１−２では、WESTサービスラインの障害に伴い、サービストラフィックをWESTプロテクションラインに分岐出力（ブリッジ）するため、ラインスイッチ部サービス系３−１−１を選択し、必要に応じてラインオーバーヘッド信号の挿入処理を行い波長多重分離部WESTプロテクション系１−２に出力する。
【０２３０】
波長多重分離部WESTプロテクション系１−２では、ラインインタフェース部WESTプロテクション系２−１−２からの信号を、他の波長用ラインインタフェース部WESTプロテクション系からの信号と波長多重してWESTプロテクションラインに出力する。
この段階で、WESTプロテクションラインを通して伝送されていたパートタイムトラフィックは伝送不能になる。
［Drop方向］
この状態では、図３５とパートタイムトラフィックの流れは同様である。
【０２３１】
図３７は、図３５に対して、WESTサービスライン上に障害が発生した場合の切り替え動作の最終段階でのトラフィックの流れを示す図である。サービストラフィックの流れは、図３１と同様である。以下、図３６からパートタイムトラフィックの流れが変わる部分のみを説明する。
【０２３２】
［Add方向］
Add方向のパートタイムトラフィックの流れは、図３６と同様である。
［Drop方向］
WEST側で対向しているノードでは、図３６の段階でプロテクションラインにサービストラフィックを分岐出力（ブリッジ）しているので、既にWESTプロテクションラインを通してパートタイムトラフィックを受信することはできない。
【０２３３】
図３８は、サービストラフィックをWEST方向にAdd/Drop形態で、パートタイムトラフィックをWEST方向にAdd/Drop形態で収容する場合で、かつノード内部で冗長構成をとっている光クロスコネクト部サービス系４−１で障害が発生し、サービストラフィックをプロテクション系機能ブロック側に切り替えた場合のトラフィックの流れを示す図である。
【０２３４】
さらに図３８では、冗長切り替え時にサービストラフィックとパートタイムトラフィックのミスコネクトを防ぐための特定信号挿入機能も合わせて示している。
【０２３５】
この特定信号挿入機能は、以下に説明するノード内部で冗長構成をとっている機能ブロックの障害時だけに限らず、今まで説明した図３３、図３４、図３６、図３７のようにエクストラトラフィックまたはパートタイムトラフィックを収容する場合で、サービストラフィックをプロテクション系機能ブロック側で処理する場合の全てに共通で使える機能である。
【０２３６】
なお特定信号としては、いわゆる従来のＳＤＨ伝送システムでいうところのＰ−ＡＩＳ（Path Alarm Indication Signal）やＵＮＥＱ（Unequipped）などのような、伝送フレームのペイロードの情報を潰した信号を使用すれば良い。
【０２３７】
［Add方向］
図３８において、トリビュタリインタフェース部サービス系６−１−１で収容したサービストラフィックは、必要に応じて信号形式変換、信号モニタ或いは終端処理された後、トリビュタリスイッチ部サービス系５−１−１及びトリビュタリスイッチ部プロテクション系５−１−２に分岐出力される。
【０２３８】
トリビュタリスイッチ部サービス系５−１−１、光クロスコネクト部サービス系４−１及びラインスイッチ部サービス系３−１−１の動作は切り替え動作前（図２９）と同様である。
トリビュタリスイッチ部プロテクション系５−１−２では、トリビュタリインタフェース側が正常な場合にはトリビュタリインタフェース部サービス系６−１−１からの信号を選択し、光クロスコネクト部プロテクション系４−２に出力する。
【０２３９】
光クロスコネクト部プロテクション系４−２では、トリビュタリスイッチ部プロテクション系５−１−２で選択したAdd方向サービストラフィックを、接続設定に従って波長チャネルに接続し、ラインスイッチ部プロテクション系３−１−２に出力する。
【０２４０】
ラインスイッチ部プロテクション系３−１−２では、光クロスコネクト部プロテクション系４−２からのAdd方向サービストラフィックをWESTサービス方向のラインインタフェース部２−１−１に接続し出力する。
【０２４１】
ラインインタフェース部WESTサービス系２−１−１では、光クロスコネクト部サービス系４−１で障害が検出されているのでラインスイッチ部プロテクション系３−１−２を選択し、必要に応じてラインオーバーヘッド信号の挿入処理を行い波長多重分離部WESTサービス系１−１に出力する。
【０２４２】
波長多重分離部WESTサービス系１−１では、ラインインタフェース部WESTサービス系２−１−１からの信号を、他の波長用ラインインタフェース部WESTサービス系からの信号と波長多重してWESTサービスラインに出力する。
【０２４３】
パートタイムトラフィックについては、光クロスコネクト部サービス系４−１の障害に伴い、ラインスイッチ部プロテクション系３−１−２、光クロスコネクト部プロテクション系４−２及びトリビュタリスイッチ部プロテクション系５−１−２がサービストラフィックの迂回路として使われるため、伝送不能となる。
【０２４４】
この時、ラインインタフェース部WESTプロテクション系２−１−２から特定信号を挿入することにより、WESTプロテクションラインへの出力信号としてサービストラフィックが流出しないようにする。なお上記特定信号の挿入時期は、冗長切り替え動作を始める前であり、特定信号挿入解除時期は、冗長切り戻し完了後である。
【０２４５】
このように特定信号を挿入することで、Add方向におけるサービストラフィックとパートタイムトラフィック又はエクストラトラフィックをのミスコネクトを防ぐことができる。
【０２４６】
［Drop方向］
波長多重分離部WESTサービス系１−１で収容した、波長多重されたライン信号は、波長分離されてラインインタフェース部WESTサービス系２−１−１に出力される。
【０２４７】
ラインインタフェース部WESTサービス系２−１−１では、必要に応じてライン信号の終端処理を行い、ラインスイッチ部サービス系３−１−１及びラインスイッチ部プロテクション系３−１−２に分岐出力する。
【０２４８】
ラインスイッチ部サービス系３−１−１、光クロスコネクト部サービス系４−１及びトリビュタリスイッチ部サービス系５−１−１の動作は切り替え動作前（図２９）と同様である。
【０２４９】
ラインスイッチ部プロテクション系３−１−２では、ノード内部の冗長構成部である光クロスコネクト部サービス系４−１に障害が発生しているため、ラインインタフェース部WESTサービス系２−１−１からの信号を選択し、Drop方向サービストラフィックとして光クロスコネクト部プロテクション系４−２に出力する。
【０２５０】
光クロスコネクト部プロテクション系４−２では、ラインスイッチ部サービス系３−１−１からのDrop方向サービストラフィックを、接続設定に従ってトリビュタリチャネルに接続し、トリビュタリスイッチ部プロテクション系５−１−２に出力する。
【０２５１】
トリビュタリスイッチ部プロテクション系５−１−２では、光クロスコネクト部プロテクション系４−２からのDrop方向サービストラフィックを、トリビュタリインタフェース部サービス系６−１−１及びトリビュタリインタフェース部プロテクション系６−１−２に分岐出力する。
【０２５２】
トリビュタリインタフェース部サービス系６−１−１では、光クロスコネクト部サービス系４−１で障害が検出されているので、トリビュタリスイッチ部プロテクション系５−１−２を選択し、必要に応じてトリビュタリオーバーヘッド信号の挿入処理を行ってトリビュタリ信号を出力する。
【０２５３】
パートタイムトラフィックについては、光クロスコネクト部サービス系４−１の障害に伴い、ラインスイッチ部プロテクション系３−２、光クロスコネクト部プロテクション系４−２及びトリビュタリスイッチ部プロテクション系５−１−２がサービストラフィックの迂回路として使われるため、伝送不能となる。
【０２５４】
この時、トリビュタリインタフェース部パートタイム系６−１−３から特定信号を挿入することにより、トリビュタリパートタイムラインへの出力信号としてサービストラフィックが流出しないようにする。
【０２５５】
上記特定信号の挿入時期は、冗長切り替え動作を始める前であり、特定信号挿入解除時期は、冗長切り戻し完了後である。このことにより、Drop方向におけるサービストラフィックとパートタイムトラフィック又はエクストラトラフィックをのミスコネクトを防ぐことができる。
【０２５６】
＜冗長有り，クロスコネクトスイッチ有り，２ファイバシステム実施形態＞
（第２４の実施形態）
次に、図３９〜図４５を参照して本発明に係わる光伝送装置の別の実施形態を説明する。なお、本実施形態の光伝送装置は、装置内部に切り替え可能な冗長系を有し、ライン側とトリビュタリ側との波長アサインを行う光クロスコネクト部を有し、２ファイバ伝送システムに使用される。また本実施形態の光伝送装置は、請求項１４に対応する。
【０２５７】
図３９は、本発明に係わる光伝送装置の別の構成例を示すブロック図である。この光伝送装置は、波長数Ｓについて波長多重分離を行う波長多重分離部（WEST用：１−１、EAST用：１−３）と、ライン冗長ユニット7−１〜７−ｓと、トリビュタリとのインタフェースを行うトリビュタリインタフェース部（ch1 SRV用：６−１−１、ch1 PRT用：６−１−２、ch1 P/T用：６−１−３）と、トリビュタリの冗長切り替えを行うトリビュタリスイッチ部（ch1 SRV用：５−１−１、ch1 PRT用：５−１−２、…（ｔチャネルのトリビュタリを収容））と、トリビュタリインタフェースチャネルと各波長単位で設置されたラインスイッチ部との間を任意に接続設定する光クロスコネクト部（SRV用：４−１、PRT用：４−２）とを備える。
【０２５８】
ライン冗長ユニット7−１〜７−ｓは、それぞれ所定の波長でラインとのインタフェースを行うラインインタフェース部（WEST SRV用：２−１−１、WEST PRT用：２−１−２、EAST SRV用：２−１−３、EAST PRT用：２−１−４）と、ラインスイッチ部（SRV用：３−１−１、PRT用：３−２−２）とを備える。
【０２５９】
ここで、ラインスイッチ部SRV系3-1-1、３−２−２は、例えば上記第１〜第２３の実施形態で示した構成をとり、よって接続されるラインインタフェース部からの各波長の信号をAdd/Drop/Through接続することに加え、ブリッジ接続を行うことが可能である。
【０２６０】
図３９に示した光伝送装置の基本動作を、ライン冗長ユニット7-1を介してインタフェースする回線について説明する。ここでは、WEST側ラインにトリビュタリ信号をAdd/Dropする場合の動作のみを説明する。
【０２６１】
［Add方向］
トリビュタリインタフェース部SRV系 ch1 6-1-1及び６−１−２で収容したサービス回線は、必要に応じて信号形式変換、信号モニタ或いは終端処理された後、トリビュタリスイッチ部SRV系5-1-1及びトリビュタリスイッチ部PRT系に分岐出力される。トリビュタリスイッチ部SRV系5-1-1では、トリビュタリインタフェース側が正常な場合にはトリビュタリインタフェース部SRV系６−１−１からの信号を選択し、光クロスコネクト部SRV系４−１に出力する。光クロスコネクト部SRV系４−１では、トリビュタリスイッチ部SRV系5-1-1で選択した信号を接続設定に従って、ライン冗長ユニット7-1に接続する。
【０２６２】
ライン冗長ユニット7-1内のラインスイッチ部SRV系3-1-1は接続設定に従って、WESTのラインインタフェース部SRV系2-1-1へサービス回線を接続し、ラインインタフェース部WEST SRV2-1-1は入力された信号に対して必要に応じて信号形式変換した後、所定の波長の信号として出力する。
【０２６３】
WEST用の波長多重分離部1-1では、上記信号と他の波長のラインインタフェース部からの信号を波長多重し伝送路に出力する。
【０２６４】
この状態では、冗長構成機能部分及びラインの予備系波長は未使用状態であるので、トリビュタリインタフェース部PRT系6-1-2で収容したエクストラトラフィック又はトリビュタリインタフェース部P/T系6-1-3で収容したパートタイムトラフィックを空いている予備系機能ブロックで信号処理を行い、予備系波長を通して伝送することができる。
【０２６５】
この状態においてWESTの伝送ラインまたはラインインタフェース部SRV系2-1-1で障害が発生した場合、ラインスイッチ部SRV3-1-1は回線をWEST PRT用のラインインタフェース部2-1-2に迂回させ、WEST 側の伝送路で障害が発生した場合はEAST PRT用のラインインタフェース部WEST PRT系2-1-4に迂回させる。
【０２６６】
［Drop方向］
WEST用の波長多重分離部1-1に入力されたサービス回線は波長単位に分離され、ライン冗長ユニット7-1内のラインインタフェース部WEST SRV系2-1-1に入力される。ラインインタフェース部WEST SRV系2-1-1では必要に応じて信号形式変換処理を行い、ラインスイッチ部SRV系3-1-1及び同PRT系3-1-2に分岐出力され、ラインスイッチ部SRV系3-1-1では、接続設定に従って光クロスコネクト部SRV４−１に出力する。光クロスコネクト部SRV４−１では接続設定に従って、トリビュタリスイッチ部SRV系5-1-1に出力する。トリビュタリスイッチ部SRV系5-1-1では、光クロスコネクト部SRV系4-1からの信号をトリビュタリインタフェース部 ch1 SRV系６−１−１及びch1 PRT系６−１−２に分岐出力し、トリビュタリインタフェース部では必要に応じて信号形式変換を行った後、外部装置に出力する。
【０２６７】
この状態では、冗長構成機能部分及びラインの予備系波長は未使用状態であるので、予備波長を介して伝送されてくるエクストラトラフィック又はパートタイムトラフィックに係わる信号処理を、空いている予備系機能ブロックで行うことができる。
【０２６８】
この状態でWEST SRV用のラインインタフェース部WEST SRV系2-1-1で障害が発生した場合、ラインスイッチ部WEST SRV系3-1-1はWEST PRTのラインインタフェース部2-1-2を介して迂回してくる回線を光クロスコネクト部SRV系4-1に出力し、WEST側の伝送路で障害が発生した場合にはEAST PRTのラインインタフェース部WEST PRT系2-1-4を介して迂回してくる回線を光クロスコネクト部SRV系4-1に出力する。
【０２６９】
［波長多重インタフェース部→波長多重インタフェース部方向］
WEST用の波長多重分離部1-1に入力された回線は波長単位に分離され、ライン冗長ユニット7-1内のWEST SRV用のラインインタフェース部WEST SRV系2-1-1に入力される。ラインインタフェースでは必要に応じて信号形式変換処理を行い、ラインスイッチ部SRV系3-1-1は接続設定に従って、EAST用のラインインタフェース部SRV系2-1-3へ回線を接続し、ラインインタフェース部EAST SRV系2-1-3は入力された回線に対して必要に応じて信号形式変換した後、所定の波長の信号として出力する。
【０２７０】
EAST用の波長多重分離部1-３では、上記信号と他の波長のラインインタフェース部からの信号を波長多重し伝送路に出力する。
【０２７１】
同時にEAST用の波長多重分離部1-3に入力された回線は波長単位に分離され、ライン冗長ユニット7-1内のEAST SRV用のラインインタフェース部2-1-3に入力される。ラインインタフェース部EAST SRV系2-1-3では必要に応じて信号形式変換処理を行い、ラインスイッチ部SRV系3-1-1は接続設定に従って、WESTのラインインタフェース部SRV系2-1-1へ回線を接続し、ラインインタフェース部WEST SRV2-1-1は入力された回線に対して信号形式変換した後、所定の波長の信号として出力する。
【０２７２】
WEST用の波長多重分離部1-1では、上記信号と他の波長のラインインタフェース部からの信号を波長多重し伝送路に出力する。
【０２７３】
この状態でWEST SRV用のラインインタフェース2-1-1に障害が発生した場合、ラインスイッチ部SRV系3-1-1はWEST PRTのラインインタフェース部2-1-2を介して迂回してくる回線をEAST SRVのラインインタフェース部2-1-3に出力する。またEAST SRVのラインインタフェース2-1-3に障害が発生した場合は、ラインスイッチ部SRV系3-1-1はEAST PRTのラインインタフェース部WEST PRT系2-1-4を介して回線を迂回させる。
【０２７４】
上記構成により、以下の効果を得ることができる。
ａ)光信号を分岐接続可能なラインスイッチ部を用いる事により、障害に対して迅速に回線を迂回させることができるため、回線の切り替えあるいは切り戻し時に回線が不通になる時間を短くできる。
ｂ)光クロスコネクト部とラインスイッチ部により任意のトリビュタリをWEST側、あるいはEAST側の任意の波長に接続することができる。
ｃ)ネットワーク上に障害が発生していないときには、エクストラトラフィック又はパートタイムトラフィックを収容することができる。
ｄ)さらに、ラインインタフェース部及びトリビュタリインタフェース部に特定信号挿入機能を持たせることができるので、ネットワーク上に障害が発生したときにも、サービストラフィックとエクストラトラフィック又はパートタイムトラフィックがミスコネクトしない。
【０２７５】
＜冗長有り，クロスコネクトスイッチ無し，４ファイバシステム実施形態＞
（第２５の実施形態）
図４０は、本発明に係わる光伝送装置の別の構成例を示すブロック図である。なお本実施形態の光伝送装置は、装置内部に切り替え可能な冗長系を有し、ライン側とトリビュタリ側との波長アサインを行う光クロスコネクト部を備えず、４ファイバ伝送システムに使用される。また本実施形態の光伝送装置は、請求項１５に対応する。
【０２７６】
図４０の光伝送装置は、波長数２×ｓについて波長多重分離を行う波長多重分離部（WEST側 SRV部：１−１、WEST側 PRT部：１−２、EAST側 SRV部：１−３、EAST側 PRT部：１−４）と、ライン冗長ユニット7−１〜７−ｓと、トリビュタリユニット８−１〜８−ｔとを備える。
【０２７７】
ライン冗長ユニット7−１〜７−ｓは、所定の波長でラインとのインタフェースを行うラインインタフェース部（WEST SRV用：２−１−１、WEST PRT：用２−１−２、EAST SRV用：２−１−３、EAST PRT用：２−１−４）と、第２４の実施形態と同様の機能を持つラインスイッチ部（SRV部３−１−１、PRT部３−１−２）とを備える。
【０２７８】
トリビュタリユニット８−１〜８−ｔは、トリビュタリとのインタフェースの冗長切替を行うトリビュタリスイッチ部（SRV部５−１−１、PRT部５−１−２）と、トリビュタリとのインタフェースを行うトリビュタリインタフェース部（ch 1用 SRV部：６−１−１、ch 1用 PRT部：６−１−２、トリビュタリインタフェース部 ch 1用P/T部：６−１−３）とを備える。
【０２７９】
図４０に示した光伝送装置の基本動作を、ライン冗長ユニット7-1を介してインタフェースする回線について説明する。
［Add方向］
(1)サービス系
トリビュタリインタフェース部SRV系 ch1 6-1―１で収容したサービス回線は、必要に応じて信号形式変換、信号モニタ或いは終端処理された後、トリビュタリスイッチ部SRV系5-1-1に出力される。トリビュタリスイッチ部SRV系5-1-1から出力された信号は、ライン冗長ユニット7-1に接続される。
【０２８０】
ライン冗長ユニット7―１内のラインスイッチ部SRV系3-1-1は接続設定に従って、WEST SRVのラインインタフェース部WEST SRV系2-1-1へ回線を接続し、ラインインタフェース部WEST SRV系2-1-1は入力された回線に対して信号形式変換した後、所定の波長の信号として出力する。
【０２８１】
WEST側SRVの波長多重分離部1-1では、上記信号と他の波長のラインインタフェース部からの信号を波長多重し伝送路に出力する。上記説明ではWEST側SRVにトリビュタリユニットからのサービス回線を接続したが、EAST側SRVに回線を接続することができる。
【０２８２】
(2)プロテクション系
トリビュタリ側のサービス系が障害を起こした場合、トリビュタリインタフェース部PRT系 ch1 6-1-2で収容したサービス回線は、必要に応じて信号形式変換、信号モニタ或いは終端処理された後、トリビュタリスイッチ部SRV系５−１−1に出力される。以後の接続は、サービス回線と同様である。
【０２８３】
(3)パートタイム系
冗長構成を形成しているので、伝送路または装置がサービス回線を迂回するために使用する冗長側は、パートタイム回線を伝送することができる。パートタイム回線は以下のように伝送される。
【０２８４】
トリビュタリインタフェース部 ch1 P/T６−１―３で収容したパートタイム回線は、必要に応じて信号形式変換、信号モニタ或いは終端処理された後、トリビュタリスイッチ部PRT系５−１−２に出力され、ライン冗長ユニット７−１に接続されている。
【０２８５】
ライン冗長ユニット7―１内のラインスイッチ部PRT系３−１−２は接続設定に従って、EAST PRTのラインインタフェース部２−１−4へ回線を接続し、ラインインタフェース部EAST PRT系２−１−4は入力された回線に対して信号形式変換した後、所定の波長の信号として出力する。
【０２８６】
EAST側 PRTの波長多重分離部１−4では、上記信号と他の波長のラインインタフェース部からの信号を波長多重し伝送路に出力する。上記説明ではEAST側 PRTにトリビュタリユニットからのパートタイム回線を接続したが、WEST側 PRTに回線を接続することができる。
【０２８７】
(4) 障害発生時
WEST SRVのラインインタフェース部WEST SRV系2-1-1で障害が発生した場合は、ラインスイッチ部SRV系3-1-1は、サービス回線をWEST PRTのラインインタフェース部2-1-2に迂回させる。この時、ラインスイッチ部SRV系 3-1-1は、ラインインタフェース部WEST SRV系2-1-1に接続しつつ、ラインインタフェース部WEST PRT系2-1-2に接続するという、ブリッジ接続となる。ラインインターフェス部WEST PRT系2-1-2は入力された回線に対して信号変換した後、所定の波長として出力する。WEST側PRTの波長多重分離部1-2では、上記信号と他の波長のラインインタフェース部からの信号を波長多重し伝送路に出力する。
【０２８８】
WEST SRVおよびPRTの両方の伝送路で障害が発生した場合は、EAST PRTのラインインタフェース部WEST PRT系2-1-4に迂回させる。この場合、ラインスイッチ部SRV系3-1-1はラインインタフェース部WEST SRV系2-1-1に接続しつつ、ラインインタフェース部WEST PRT系2-1-4に接続するという、ブリッジ接続となる。ラインインタフェース部WEST PRT系2-1-4は入力されたサービス回線に対して信号変換した後、所定の波長として出力する。EAST側PRTの波長多重分離部1-4では、上記信号と他の波長のラインインタフェース部からの信号を波長多重し伝送路に出力する。このとき、パートタイム回線はEAST PRT側からはずされる。
【０２８９】
［Drop方向］
WEST側の波長多重分離部1-1に入力された回線は波長単位に分離され、ライン冗長ユニット7-1内のラインインタフェース部WEST SRV系2-1-1に入力される。ラインインタフェース部WEST SRV系2-1-1では信号形式変換処理を行い、ラインスイッチ部SRV系3-1-1に入力される。ラインスイッチ部SRV系3-1-1は接続設定に従って、トリビュタリインタフェース部 8-1 ch1 に接続する。トリビュタリインタフェース部では必要に応じて信号形式変換を行った後、外部装置に出力する。
【０２９０】
この状態でWEST SRVの伝送ライン、波長多重分離部1-1またはラインインタフェース部2-1-1で障害が発生した場合、ラインスイッチ部SRV系3-1-1はWEST PRTの伝送ライン、波長多重分離部1-2およびラインインタフェース部2-1-2を介して迂回してくる回線を光クロスコネクト部に出力し、WEST SRVおよびPRTの両方の伝送路で障害が発生した場合にはEAST PRTの伝送ライン、波長多重分離部1-4およびラインインタフェース部WEST PRT系2-1-4を介して迂回してくる回線をトリビュタリインタフェース部8-1 ch1に接続する。トリビュタリインタフェース部8-1 ch1では必要に応じて信号形式変換を行った後、外部装置に出力する。
【０２９１】
［波長多重インタフェース部→波長多重インタフェース部方向］
WEST側の波長多重分離部SRV系1-1に入力された回線は波長単位に分離され、ライン冗長ユニット7-1内のラインインタフェース部WEST SRV系2-1-1に入力される。ラインインタフェース部では信号形式変換処理を行い、ラインスイッチ部SRV系3-1-1に接続する。ラインスイッチ部SRV系3-1-1は接続設定に従って、EAST SRVのラインインタフェース部2-1-3へ回線を接続し、ラインインタフェース部2-1-3は入力された回線に対して信号形式変換した後、所定の波長の信号として出力する。
【０２９２】
EAST側の波長多重分離部SRV系1-3では、上記信号と他の波長のラインインタフェース部からの信号を波長多重し伝送路に出力する。
この状態でWEST SRVの伝送ライン、波長多重分離部1-1またはラインインタフェース部2-1-1に障害が発生した場合、ラインスイッチ部SRV系3-1-1はWEST PRTの伝送ライン、波長多重分離部1-2およびラインインタフェース部2-1-2を介して迂回してくる回線をEAST SRVのラインインタフェース部2-1-3に出力する。
【０２９３】
さらに、この状態でEAST SRVの伝送ライン、波長多重分離部1-3またはラインインタフェース部2-1-3に障害が発生した場合、ラインスイッチ部SRV系3-1-1はEAST SRVのラインインタフェース部2-1-3に接続しつつ、EAST PRTのラインインタフェース部WEST PRT系2-1-4に接続すると言うブリッジ接続を行う。これにより、PRTのラインインタフェース部WEST PRT系2-1-4を介して回線を迂回させる。
【０２９４】
本実施形態によれば、以下の効果を得ることができる。
【０２９５】
ａ）光信号を分岐接続可能なラインスイッチ部を用いる事により、障害に対して迅速に回線を迂回させることができるため、回線の切り替えあるいは切り戻し時に回線が不通になる時間を短くできる。
【０２９６】
ｂ）装置を構成する各部を冗長構成としているので、装置内部の障害に対して回線を迂回することができる。
【０２９７】
ｃ）WEST側、EAST側の伝送路として、各々２ファイバペアの伝送路を使用するため、伝送路障害に対して、回線を迂回することができる。
【０２９８】
ｄ）トリビュタリスイッチ部とトリビュタリ伝送路毎にトリビュタリインタフェース部を有するのでトリビュタリ伝送の障害に対して、回線を迂回することができる。
【０２９９】
ｅ）トリビュタリインタフェース部 P/T部を介して、パートタイムトラフィックを伝送することができる。
【０３００】
＜冗長有り，クロスコネクトスイッチ無し，２ファイバシステム実施形態＞
（第２６の実施形態）
図４１は、本発明に係わる光伝送装置の別の構成例を示すブロック図である。なお本実施形態の光伝送装置は、装置内部に切り替え可能な冗長系を有し、ライン側とトリビュタリ側との波長アサインを行う光クロスコネクト部を備えず、２ファイバ伝送システムに使用される。また本実施形態の光伝送装置は、請求項１５に対応する。
【０３０１】
図４１の光伝送装置は、波長数２×ｍについて波長多重分離を行う波長多重分離部（WEST用：１−１、EAST用：１−３）と、ライン冗長ユニット7−１〜７−ｓと、トリビュタリユニット８−１〜８−ｔとを備える。
【０３０２】
ライン冗長ユニット7−１〜７−ｓは、所定の波長でラインとのインタフェースを行うラインインタフェース部（WEST SRV用：２−１−１、WEST PRT用：２−１−２、EAST SRV用：２−１−３、EAST PRT用：２−１−４）と、上記第２４の実施形態と同様の機能を持つラインスイッチ部（SRV部：３−１−１、PRT部３−１−２）とを備える。
【０３０３】
トリビュタリユニット８−１〜８−ｔは、トリビュタリとのインタフェースの冗長切り替えを行うトリビュタリスイッチ部（SRV部：５−１−１、PRT部：５−１−２）と、トリビュタリとのインタフェースを行うトリビュタリインタフェース部（ch 1用SRV部：６−１−１、ch 1用PRT部：６−１−２、ch 1用P/T部：６−１−３）とを備える。
【０３０４】
図４１に示した光伝送装置の基本動作を、ライン冗長ユニット7-1を介してインタフェースする回線について説明する。
【０３０５】
［Add方向］
トリビュタリインタフェース部SRV系 ch1 6-1-1で収容した回線は、必要に応じて信号形式変換、信号モニタ或いは終端処理された後、トリビュタリスイッチ部SRV系5-1-1に出力される。トリビュタリスイッチ部SRV系5-1-1から出力された信号は、ラインスイッチ部SRV系3-1-1に接続される。
【０３０６】
ライン冗長ユニット7-1内のラインスイッチ部SRV系3-1-1は接続設定に従って、WEST SRV用のラインインタフェース部WEST SRV系2-1-1へ回線を接続し、ラインインタフェース部WEST SRV系2-1-1は入力された回線に対して必要に応じて信号形式変換した後、所定の波長の信号として出力する。WEST用の波長多重分離部1-1では、上記信号と他の波長のラインインタフェース部からの信号を波長多重し伝送路に出力する。
【０３０７】
この状態においてWEST SRV用のラインインタフェース部WEST SRV系2-1-1で障害が発生した場合、ラインスイッチ部SRV系3-1-1は回線をWEST PRT用のラインインタフェース部2-1-2に迂回させ、WEST側の伝送路で障害が発生した場合はEAST PRT用のラインインタフェース部WEST PRT系2-1-4に迂回させる。
【０３０８】
トリビュタリインタフェース部 ch １SRV系6-1-1で収容した回線は、必要に応じて信号形式変換、信号モニタ或いは終端処理された後、ライン冗長ユニット7-1に接続される。
【０３０９】
ライン冗長ユニット7-1内のラインスイッチ部3-1−２は接続設定に従って、EAST SRV用のラインインタフェース部2-1-3へ回線を接続し、ラインインタフェース部2-1-3は入力された回線に対して必要に応じて信号形式変換した後、所定の波長の信号として出力する。EAST用の波長多重分離部1-３では、上記信号と他の波長のラインインタフェース部からの信号を波長多重し伝送路に出力する。
【０３１０】
この状態においてEAST SRVのラインインタフェースで障害が発生した場合、ラインスイッチ部3-1−２は回線をEAST PRTのラインインタフェース部WEST PRT系2-1-4に迂回させ、EAST 側の伝送路でで障害が発生した場合はWEST PRTのラインインタフェース部2-1-2に迂回させる。
【０３１１】
冗長構成となっているので、伝送路または装置がサービス回線を迂回するために使用する冗長側は、パートタイム回線として使用することができる。
【０３１２】
トリビュタリインタフェース部 ch1 P/T 6-1-3で収容した回線は、必要に応じて信号形式変換、信号モニタ或いは終端処理された後、トリビュタリスイッチ部５−１−２に出力され、ラインスイッチ部３−１−２に接続される。
【０３１３】
ライン冗長ユニット7−１内のラインスイッチ部３−１−２は接続設定に従って、EAST PRTのラインインタフェース部WEST PRT系2-1-4へ回線を接続し、ラインインタフェース部WEST PRT系2-1-4は入力された回線に対して信号形式変換した後、所定の波長の信号として出力する。
【０３１４】
［Drop方向］
WEST用の波長多重分離部1-1に入力された回線は波長単位に分離され、ライン冗長ユニット7-1内のラインインタフェース部WEST SRV系2-1-1に入力される。ラインインタフェースでは必要に応じて信号形式変換処理を行い、ラインスイッチ部SRV系3-1-1に入力される。ラインスイッチ部SRV系3-1-1は接続設定に従って、トリビュタリインタフェース部 ８−１に接続する。トリビュタリインタフェース部では必要に応じて信号形式変換を行った後、外部装置に出力する。
【０３１５】
この状態でWEST SRV用のラインインタフェース部で障害が発生した場合、ラインスイッチ部SRV系3-1-1はWEST PRTのラインインタフェース部2-1-2を介して迂回してくる回線をトリビュタリインタフェース部８―１に出力し、WEST側の伝送路で障害が発生した場合にはEAST PRTのラインインタフェース部WEST PRT系2-1-4を介して迂回してくる回線をトリビュタリインタフェース部８―１に出力する。
【０３１６】
EAST用の波長多重分離部1-３に入力された回線は波長単位に分離され、ライン冗長ユニット7-1内のラインインタフェース部2-1-3に入力される。ラインインタフェースでは必要に応じて信号形式変換処理を行い、ラインスイッチ部SRV系3-1-1は接続設定に従って、トリビュタリインタフェース部８−１に接続する。トリビュタリインタフェース部では必要に応じて信号形式変換を行った後、外部装置に出力する。
【０３１７】
この状態でEAST SRVのラインインタフェース部で障害が発生した場合、ラインスイッチ部はEAST PRTのラインインタフェース部WEST PRT系2-1-4を介して迂回してくる回線をトリビュタリインタフェース部６―２に出力し、EAST側の伝送路で障害が発生した場合にはWEST PRTのラインインタフェース部2-1-2を介して迂回してくる回線をトリビュタリインタフェース部８―２に出力する。
【０３１８】
［波長多重インタフェース部→波長多重インタフェース部方向］
WEST用の波長多重分離部1-1に入力された回線は波長単位に分離され、ライン冗長ユニット7-1内のWEST SRV用のラインインタフェース部WEST SRV系2-1-1に入力される。ラインインタフェースでは必要に応じて信号形式変換処理を行い、ラインスイッチ部3-1は接続設定に従って、EAST SRV用のラインインタフェース部2-1-3へ回線を接続し、ラインインタフェース部2-1-3は入力された回線に対して必要に応じて信号形式変換した後、所定の波長の信号として出力する。
【０３１９】
EAST用の波長多重分離部1-３では、上記信号と他の波長のラインインタフェース部からの信号を波長多重し伝送路に出力する。同時にWEST用の波長多重分離部1-１に入力された回線は波長単位に分離され、ライン冗長ユニット7-1内のWEST PRT用のラインインタフェース部2-1-２に入力される。ラインインタフェースでは必要に応じて信号形式変換処理を行い、ラインスイッチ部3-1は接続設定に従って、EAST PRTのラインインタフェース部2-1-４へ回線を接続し、ラインインタフェース部2-1-４は入力された回線に対して信号形式変換した後、所定の波長の信号として出力する。
EAST用の波長多重分離部1-３では、上記信号と他の波長のラインインタフェース部からの信号を波長多重し伝送路に出力する。
【０３２０】
この状態でWEST SRV用のラインインタフェース2-1-1に障害が発生した場合、ラインスイッチ部はWEST PRTのラインインタフェース部2-1-2を介して迂回してくる回線をEAST SRVのラインインタフェース部2-1-3に出力する。またEAST SRVのラインインタフェース2-1-3に障害が発生した場合は、ラインスイッチ部はEAST PRTのラインインタフェース部WEST PRT系2-1-4を介して回線を迂回させる。
【０３２１】
本実施形態の光伝送装置によれば、以下の効果を得ることができる。
ａ）光信号を分岐接続可能なラインスイッチ部を用いる事により、障害に対して迅速に回線を迂回させることができるため、回線の切り替えあるいは切り戻し時に回線が不通になる時間を短くできる。
【０３２２】
ｂ）WEST側、EAST側の伝送路として、各々１ファイバペアのみを使用するため、伝送路に係わるコストを低減できる。
【０３２３】
ｃ）装置を構成する各部を冗長構成としているので、装置内部の障害に対して回線を迂回することができる。
【０３２４】
ｄ）トリビュタリラインスイッチ部とトリビュタリ伝送路毎にトリビュタリインタフェース部を有するので、トリビュタリ伝送の障害に対して回線を迂回することができる。
【０３２５】
ｅ）光クロスコネクト部は任意のトリビュタリをWEST側、あるいはＥＡＳＴ側の任意の波長に接続することができる。
【０３２６】
ｆ）トリビュタリインタフェース部P/T部を介して、パートタイムトラフィックを伝送することができる。
【０３２７】
＜冗長無し，クロスコネクトスイッチ有り，４ファイバシステム実施形態＞
（第２７の実施形態）
図４２は、本発明に係わる光伝送装置の別の構成例を示すブロック図である。なお本実施形態の光伝送装置は、装置内部に切り替え可能な冗長系を備えず、ライン側とトリビュタリ側との波長アサインを行う光クロスコネクト部を有し、４ファイバ伝送システムに使用される。また本実施形態の光伝送装置は、請求項１９に対応する。
【０３２８】
図４２の光伝送装置は、波長数Ｓについて波長多重分離を行う波長多重分離部（WEST SRV用：１−１、WEST PRT用：１−２、EAST SRV用：１−３、EAST PRT用：１−４）と、ライン冗長ユニット7−１〜７−ｓと、トリビュタリとのインタフェースを行うトリビュタリインタフェース部（ch 1用：６−１、ch 2用：６−２、ch t用：６−ｔ）と、トリビュタリインタフェースチャネルと各波長単位で設置されたラインスイッチ部との間を任意に接続設定するための光クロスコネクト部４とを備える。
【０３２９】
ライン冗長ユニット7−１〜７−ｓは、所定の波長でラインとのインタフェースを行うラインインタフェース部（WEST SRV用：２−１−１、WEST PRT用：２−１−２、EAST SRV用：２−１−３、EAST PRT用：２−１−４）と、上記第２４の実施形態を同様の機能を持つラインスイッチ部３−１とを備える。
【０３３０】
図４２に示した光伝送装置の基本動作を、ライン冗長ユニット7-1を介してインタフェースする回線について説明する。
【０３３１】
［Add方向］
トリビュタリインタフェース部 ch1 6-1で収容した回線は、必要に応じて信号形式変換、信号モニタ或いは終端処理された後、光クロスコネクト部４に出力される。光クロスコネクト部４ではトリビュタリインタフェースからの信号を接続設定に従って、ライン冗長ユニット7-1に接続する。ライン冗長ユニット7-1内のラインスイッチ部3-1は接続設定に従って、WEST SRVのラインインタフェース部WEST SRV系2-1-1へ回線を接続し、ラインインタフェース部WEST SRV系2-1-1は入力された回線に対して必要に応じて信号形式変換した後、所定の波長の信号として出力する。
【０３３２】
WEST SRV用の波長多重分離部1-1では、上記信号と他の波長のラインインタフェース部からの信号を波長多重し伝送路に出力する。
【０３３３】
この状態においてWEST SRVの伝送ライン、波長多重分離部1-1またはラインインタフェース部WEST SRV系2-1-1で障害が発生した場合、ラインスイッチ部3-1は回線をWEST PRTのラインインタフェース部2-1-2に迂回させ、WEST 側のSRV、PRTで同時に障害が発生した場合はEAST PRTのラインインタフェース部WEST PRT系2-1-4に迂回させる。
【０３３４】
トリビュタリインタフェース部 ch t 6-ｔで収容した回線は、必要に応じて信号形式変換、信号モニタ或いは終端処理された後、光クロスコネクト部４に出力される。光クロスコネクト部4ではトリビュタリインタフェースからの信号を接続設定に従って、ライン冗長ユニット7-1に接続する。ライン冗長ユニット7-1内のラインスイッチ部3-1は接続設定に従って、EAST SRVのラインインタフェース部2-1-3へ回線を接続し、ラインインタフェース部2-1-3は入力された回線に対して必要に応じて信号形式変換した後、所定の波長の信号として出力する。
【０３３５】
EAST SRV用の波長多重分離部1-３では、上記信号と他の波長のラインインタフェース部からの信号を波長多重し伝送路に出力する。
【０３３６】
この状態においてEAST SRVの伝送路、波長多重分離部1-3またはラインインタフェース2-1-3で障害が発生した場合、ラインスイッチ部3-1は回線をEAST PRTのラインインタフェース部WEST PRT系2-1-4に迂回させ、EAST 側のSRV、PRTで同時に障害が発生した場合はWEST PRTのラインインタフェース部2-1-2に迂回させる。
【０３３７】
［Drop方向］
WEST SRV用の波長多重分離部1-1に入力された回線は波長単位に分離され、ライン冗長ユニット7-1内のラインインタフェース部WEST SRV系2-1-1に入力される。ラインインタフェースでは必要に応じて信号形式変換処理を行い、ラインスイッチ部3-1は接続設定に従って、光クロスコネクト部４に出力する。光クロスコネクト部４では接続設定に従って、トリビュタリインタフェース部 ch1 6-1に接続し、トリビュタリインタフェース部では必要に応じて信号形式変換を行った後、外部装置に出力する。
【０３３８】
この状態でWEST SRVの伝送路、波長多重分離部1-1またはラインインタフェース部で障害が発生した場合、ラインスイッチ部はWEST PRTのラインインタフェース部2-1-2を介して迂回してくる回線を光クロスコネクト部に出力し、WEST側SRVとPRTで同時に障害が発生した場合にはEAST PRTのラインインタフェース部WEST PRT系2-1-4を介して迂回してくる回線を光クロスコネクト部に出力する。
【０３３９】
EAST側 SRV部の波長多重分離部1-３に入力された回線は波長単位に分離され、ライン冗長ユニット7-1内のラインインタフェース部2-1-3に入力される。ラインインタフェースでは信号形式変換処理を行い、ラインスイッチ部3-1は接続設定に従って、光クロスコネクタ部４に出力する。光クロスコネクト部４では接続設定に従って、トリビュタリインタフェース部 ch t 6-ｔに接続する。トリビュタリインタフェース部 ch t 6-ｔでは必要に応じて信号形式変換を行った後、外部装置に出力する。
【０３４０】
この状態でEAST SRVの伝送路またはラインインタフェース部で障害が発生した場合、ラインスイッチ部はEAST PRTのラインインタフェース部WEST PRT系2-1-4を介して迂回してくる回線を光クロスコネクト部に出力し、EAST側のSRV、PRTで同時に障害が発生した場合にはWEST PRTのラインインタフェース部2-1-2を介して迂回してくる回線を光クロスコネクト部に出力する。
【０３４１】
［波長多重インタフェース部→波長多重インタフェース部方向］
WEST側SRV部の波長多重分離部1-1に入力された回線は波長単位に分離され、ライン冗長ユニット7-1内のラインインタフェース部WEST SRV系2-1-1に入力される。ラインインタフェースでは必要に応じて信号形式変換処理を行い、ラインスイッチ部3-1は接続設定に従って、EAST SRVのラインインタフェース部2-1-3へ回線を接続し、ラインインタフェース部2-1-3は入力された回線に対して必要に応じて信号形式変換した後、所定の波長の信号として出力する。
【０３４２】
EAST側SRV部波長多重分離部1-３では、上記信号と他の波長のラインインタフェース部からの信号を波長多重し伝送路に出力する。
【０３４３】
以上の動作とともに、WEST側PRT部の波長多重分離部1-２に入力された回線は波長単位に分離され、ライン冗長ユニット7-1内のWEST PRTラインインタフェース部2-1-２に入力される。ラインインタフェースでは必要に応じて信号形式変換処理を行い、ラインスイッチ部3-1は接続設定に従って、EAST PRTのラインインタフェース部2-1-４へ回線を接続し、ラインインタフェース部2-1-４は入力された回線に対して必要に応じて信号形式変換した後、所定の波長の信号として出力する。
【０３４４】
EAST側PRT部の波長多重分離部1-４では、上記信号と他の波長のラインインタフェース部からの信号を波長多重し伝送路に出力する。
【０３４５】
この状態でWEST SRVの伝送路、波長多重分離部1-1またはラインインタフェースに障害が発生した場合、ラインスイッチ部はWEST PRTのラインインタフェース部2-1-2を介して迂回してくる回線をEAST SRVのラインインタフェース部2-1-3に出力する。またEAST SRVのラインインタフェースに障害が発生した場合は、ラインスイッチ部はEAST PRTのラインインタフェース部WEST PRT系2-1-4を介して回線を迂回させる。
【０３４６】
本実施形態の光伝送装置によれば、以下の効果を得ることができる。
ａ）光信号を分岐接続可能なラインスイッチ部を用いる事により、障害に対して迅速に回線を迂回させることができるため、回線の切り替えあるいは切り戻し時に回線が不通になる時間を短くできる。
【０３４７】
ｂ）光クロスコネクト部とラインスイッチ部により任意のトリビュタリをWEST側、あるいはEAST側の任意の波長に接続することができる。
【０３４８】
＜冗長無し，クロスコネクトスイッチ有り，２ファイバシステム実施形態＞
（第２８の実施形態）
図４３は、本発明に係わる光伝送装置の別の構成例を示すブロック図である。なお本実施形態の光伝送装置は、装置内部に切り替え可能な冗長系を備えず、ライン側とトリビュタリ側との波長アサインを行う光クロスコネクト部を有し、２ファイバ伝送システムに使用される。また本実施形態の光伝送装置は、請求項１９に対応する。
【０３４９】
図４３の光伝送装置は、波長数２×ｓについて波長多重分離を行う波長多重分離部（WEST用：１−１、EAST用：１−３）と、ライン冗長ユニット7−１〜７−ｓと、トリビュタリとのインタフェースを行うｔ個のトリビュタリインタフェース部 ch 1用：６−１、ch 2用：６−２、ch t用：６−ｔと、トリビュタリインタフェースチャネルと各波長単位で設置されたラインスイッチ部との間を任意に接続設定するための光クロスコネクト部４とを備える。
【０３５０】
ライン冗長ユニット7−１〜７−ｓは、所定の波長でラインとのインタフェースを行うラインインタフェース部（WEST SRV用：２−１−１、WEST PRT用：２−１−２、EAST SRV用：２−１−３、EAST PRT用：２−１−４）と、上記第２４の実施形態と同様の機能を持つラインスイッチ部３−１とを備える。
【０３５１】
図４３に示した光伝送装置の基本動作を、ライン冗長ユニット7-1を介してインタフェースする回線について説明する。
【０３５２】
［Add方向］
トリビュタリインタフェース部 ch1 6-1で収容した回線は、必要に応じて信号形式変換、信号モニタ或いは終端処理された後、光クロスコネクト部４に出力される。光クロスコネクト部４ではトリビュタリインタフェースからの信号を接続設定に従って、ライン冗長ユニット7-1に接続する。
【０３５３】
ライン冗長ユニット7-1内のラインスイッチ部3-1は接続設定に従って、WEST SRV用のラインインタフェース部WEST SRV系2-1-1へ回線を接続し、ラインインタフェース部WEST SRV系2-1-1は入力された回線に対して必要に応じて信号形式変換した後、所定の波長の信号として出力する。
【０３５４】
WEST用の波長多重分離部1-1では、上記信号と他の波長のラインインタフェース部からの信号を波長多重し伝送路に出力する。
【０３５５】
この状態においてWEST SRV用のラインインタフェース部WEST SRV系2-1-1で障害が発生した場合、ラインスイッチ部3-1は回線をWEST PRT用のラインインタフェース部2-1-2に迂回させ、WEST 側の伝送ラインまたは波長多重分離部1-1で障害が発生した場合はEAST PRT用のラインインタフェース部WEST PRT系2-1-4に迂回させる。
【０３５６】
トリビュタリインタフェース部 ch t 6-ｔで収容した回線は、必要に応じて信号形式変換、信号モニタ或いは終端処理された後、光クロスコネクト部４に出力される。光クロスコネクト部４ではトリビュタリインタフェースからの信号を接続設定に従って、ライン冗長ユニット7-1に接続する。
【０３５７】
ライン冗長ユニット7-1内のラインスイッチ部3-1は接続設定に従って、EAST SRV用のラインインタフェース部2-1-3へ回線を接続し、ラインインタフェース部2-1-3は入力された回線に対して必要に応じて信号形式変換した後、所定の波長の信号として出力する。
EAST用の波長多重分離部1-３では、上記信号と他の波長のラインインタフェース部からの信号を波長多重し伝送路に出力する。
【０３５８】
この状態においてEAST SRVのラインインタフェースで障害が発生した場合、ラインスイッチ部3-1は回線をEAST PRTのラインインタフェース部WEST PRT系2-1-4に迂回させ、EAST側の伝送ラインまたは波長多重分離部1-3で障害が発生した場合はWEST PRTのラインインタフェース部2-1-2に迂回させる。
【０３５９】
［Drop方向］
WEST用の波長多重分離部1-1に入力された回線は波長単位に分離され、ライン冗長ユニット7-1内のラインインタフェース部WEST SRV系2-1-1に入力される。ラインインタフェースでは必要に応じて信号形式変換処理を行い、ラインスイッチ部3-1は接続設定に従って、光クロスコネクト部４に出力する。光クロスコネクト部４では接続設定に従ってトリビュタリインタフェース部 ch1 6-1に接続する。トリビュタリインタフェース部では必要に応じて信号形式変換を行った後、外部装置に出力する。
【０３６０】
この状態でWEST SRV用のラインインタフェース部で障害が発生した場合、ラインスイッチ部はWEST PRTのラインインタフェース部2-1-2を介して迂回してくる回線を光クロスコネクト部４に出力し、WEST側の伝送ラインまたは波長多重分離部1-1で障害が発生した場合にはEAST PRTのラインインタフェース部WEST PRT系2-1-4を介して迂回してくる回線を光クロスコネクト部４に出力する。
【０３６１】
EAST用の波長多重分離部1-３に入力された回線は波長単位に分離され、ライン冗長ユニット7-1内のラインインタフェース部2-1-3に入力される。ラインインタフェースでは必要に応じて信号形式変換処理を行い、ラインスイッチ部3-1は接続設定に従って、光クロスコネクト部４に出力する。光クロスコネクト部４では接続設定に従って、トリビュタリインタフェース部 ch t 6-ｔに接続する。トリビュタリインタフェース部では必要に応じて信号形式変換を行った後、外部装置に出力する。
【０３６２】
この状態でEAST SRVのラインインタフェース部で障害が発生した場合、ラインスイッチ部はEAST PRTのラインインタフェース部WEST PRT系2-1-4を介して迂回してくる回線を光クロスコネクト部４に出力し、EAST側の伝送ラインまたは波長多重分離部1-3で障害が発生した場合にはWEST PRTのラインインタフェース部2-1-2を介して迂回してくる回線を光クロスコネクト部４に出力する。
【０３６３】
［波長多重インタフェース部→波長多重インタフェース部方向］
WEST用の波長多重分離部1-1に入力された回線は波長単位に分離され、ライン冗長ユニット7-1内のWEST SRV用のラインインタフェース部WEST SRV系2-1-1に入力される。ラインインタフェースでは必要に応じて信号形式変換処理を行い、ラインスイッチ部3-1は接続設定に従って、EAST SRV用のラインインタフェース部2-1-3へ回線を接続し、ラインインタフェース部2-1-3は入力された回線に対して必要に応じて信号形式変換した後、所定の波長の信号として出力する。
EAST用の波長多重分離部1-３では、上記信号と他の波長のラインインタフェース部からの信号を波長多重し伝送路に出力する。
【０３６４】
同時にWEST用の波長多重分離部1-１に入力された回線は波長単位に分離され、ライン冗長ユニット7-1内のWEST PRT用のラインインタフェース部2-1-2に入力される。ラインインタフェースでは必要に応じて信号形式変換処理を行い、ラインスイッチ部3-1は接続設定に従って、EAST PRTのラインインタフェース部2-1-４へ回線を接続し、ラインインタフェース部WEST PRT系2-1-4は入力された回線に対して信号形式変換した後、所定の波長の信号として出力する。
EAST用の波長多重分離部1-３では、上記信号と他の波長のラインインタフェース部からの信号を波長多重し伝送路に出力する。
【０３６５】
この状態でWEST SRV用のラインインタフェース2-1-1に障害が発生した場合、ラインスイッチ部はWEST PRTのラインインタフェース部2-1-2を介して迂回してくる回線をEAST SRVのラインインタフェース部2-1-3に出力する。またEAST SRVのラインインタフェース2-1-3に障害が発生した場合は、ラインスイッチ部はEAST PRTのラインインタフェース部WEST PRT系2-1-4を介して回線を迂回させる。
【０３６６】
本実施形態の光伝送装置によれば、以下の効果を得ることができる。
ａ）光信号を分岐接続可能なラインスイッチ部を用いる事により、障害に対して迅速に回線を迂回させることができるため、回線の切り替えあるいは切り戻し時に回線が不通になる時間を短くできる。
【０３６７】
ｂ）WEST側、EAST側の伝送路として、各々１ファイバペアのみを使用するため、伝送路に係わるコストを低減できる。
【０３６８】
ｃ）光クロスコネクト部は任意のトリビュタリをWEST側、あるいはEAST側の任意の波長に接続することができる。
【０３６９】
＜冗長無し，クロスコネクトスイッチ無し，４ファイバシステム実施形態＞
（第２９の実施形態）
図４４は、本発明に係わる光伝送装置の別の構成例を示すブロック図である。なお本実施形態の光伝送装置は、装置内部に切り替え可能な冗長系を備えず、ライン側とトリビュタリ側との波長アサインを行う光クロスコネクト部を備えず、、４ファイバ伝送システムに使用される。また本実施形態の光伝送装置は、請求項２０に対応する。
【０３７０】
図４４の光伝送装置は、波長数Ｓについて波長多重分離を行う波長多重分離部（WEST SRV用：１−１、WEST PRT用：１−２、EAST SRV用：１−３、EAST PRT用：１−４）と、ライン冗長ユニット７−１〜７−ｓと、トリビュタリとのインタフェースを行うｔ個のトリビュタリインタフェース部 ch 1用：６−１、ch 2用：６−２、ch t用：６−ｔと、トリビュタリインタフェースチャネルと各波長単位で設置されたラインスイッチ部との間を任意に接続設定するための光クロスコネクト部４とを備える。
【０３７１】
ライン冗長ユニット７−１〜７−ｓは、所定の波長でラインとのインタフェースを行うラインインタフェース部（WEST SRV用：２−１−１、WEST PRT用：２−１−２、EAST SRV用：２−１−３、EAST PRT用：２−１−４）と、上記第２４の実施形態と同様の機能を持つラインスイッチ部３−１とを備える。
【０３７２】
図４４に示した光伝送装置の基本動作を、ライン冗長ユニット7-1を介してインタフェースする回線について説明する。
［Add方向］
トリビュタリインタフェース部 ch1 6-1で収容した回線は、必要に応じて信号形式変換、信号モニタ或いは終端処理された後、ライン冗長ユニット7-1に接続される。
【０３７３】
ライン冗長ユニット7-1内のラインスイッチ部3-1は接続設定に従って、WEST SRVのラインインタフェース部WEST SRV系2-1-1へ回線を接続し、ラインインタフェース部WEST SRV系2-1-1は入力された回線に対して必要に応じて信号形式変換した後、所定の波長の信号として出力する。
【０３７４】
WEST SRV用の波長多重分離部1-1では、上記信号と他の波長のラインインタフェース部からの信号を波長多重し伝送路に出力する。
【０３７５】
この状態においてWEST SRVの伝送ライン、波長多重分離部1-1またはラインインタフェース部WEST SRV系2-1-1で障害が発生した場合、ラインスイッチ部3-1は回線をWEST PRTのラインインタフェース部2-1-2に迂回させ、WEST 側のSRV、PRTで同時に障害が発生した場合はEAST PRTのラインインタフェース部WEST PRT系2-1-4に迂回させる。
【０３７６】
トリビュタリインタフェース部 ch 26-2で収容した回線は、必要に応じて信号形式変換、信号モニタ或いは終端処理された後、ライン冗長ユニット7-1に接続される。
【０３７７】
ライン冗長ユニット7-1内のラインスイッチ部3-1は接続設定に従って、EAST SRVのラインインタフェース部2-1-3へ回線を接続し、ラインインタフェース部2-1-３は入力された回線に対して必要に応じて信号形式変換した後、所定の波長の信号として出力する。
【０３７８】
EAST SRV用の波長多重分離部1-３では、上記信号と他の波長のラインインタフェース部からの信号を波長多重し伝送路に出力する。
【０３７９】
この状態においてEAST SRVの伝送ライン、波長多重分離部1-3またはラインインタフェース2-1-3で障害が発生した場合、ラインスイッチ部3-1は回線をEAST PRTのラインインタフェース部WEST PRT系2-1-4に迂回させ、EAST 側のSRV、PRTで同時に障害が発生した場合はWEST PRTのラインインタフェース部2-1-2に迂回させる。
【０３８０】
［Drop方向］
WEST SRV用の波長多重分離部1-1に入力された回線は波長単位に分離され、ライン冗長ユニット7-1内のラインインタフェース部WEST SRV系2-1-1に入力される。ラインインタフェースでは必要に応じて信号形式変換処理を行い、ラインスイッチ部3-1は接続設定に従って、トリビュタリインタフェース部 ch1 6-1に接続し、トリビュタリインタフェース部では必要に応じて信号形式変換を行った後、外部装置に出力する。
【０３８１】
この状態でWEST SRVの伝送ライン、波長多重分離部1-1またはラインインタフェース部で障害が発生した場合、ラインスイッチ部はWEST PRTのラインインタフェース部2-1-2を介して迂回してくる回線をトリビュタリインタフェース部に出力し、WEST側SRVとPRTで同時に障害が発生した場合にはEAST PRTのラインインタフェース部WEST PRT系2-1-4を介して迂回してくる回線をトリビュタリインタフェース部に出力する。
【０３８２】
EAST側 SRV部の波長多重分離部1-３に入力された回線は波長単位に分離され、ライン冗長ユニット7-1内のラインインタフェース部2-1-3に入力される。ラインインタフェースでは信号形式変換処理を行い、ラインスイッチ部3-1は接続設定に従って、トリビュタリインタフェース部 ch 26-2に接続する。トリビュタリインタフェース部では必要に応じて信号形式変換を行った後、外部装置に出力する。
【０３８３】
この状態でEAST SRVの伝送ライン、波長多重分離部1-3またはラインインタフェース部で障害が発生した場合、ラインスイッチ部はEAST PRTのラインインタフェース部WEST PRT系2-1-4を介して迂回してくる回線をトリビュタリインタフェース部に出力し、EAST側のSRV、PRTで同時に障害が発生した場合にはWEST PRTのラインインタフェース部2-1-2を介して迂回してくる回線をトリビュタリインタフェース部に出力する。
【０３８４】
［波長多重インタフェース部→波長多重インタフェース部方向］
WEST側SRV部の波長多重分離部1-1に入力された回線は波長単位に分離され、ライン冗長ユニット7-1内のラインインタフェース部WEST SRV系2-1-1に入力される。ラインインタフェースでは必要に応じて信号形式変換処理を行い、ラインスイッチ部3-1は接続設定に従って、EAST SRVのラインインタフェース部2-1-3へ回線を接続し、ラインインタフェース部2-1-3は入力された回線に対して必要に応じて信号形式変換した後、所定の波長の信号として出力する。
【０３８５】
EAST側SRV部波長多重分離部1-３では、上記信号と他の波長のラインインタフェース部からの信号を波長多重し伝送路に出力する。
【０３８６】
この動作と同時にWEST側PRT部の波長多重分離部1-２に入力された回線は波長単位に分離され、ライン冗長ユニット7-1内のWEST PRTラインインタフェース部2-1-２に入力される。ラインインタフェースでは必要に応じて信号形式変換処理を行い、ラインスイッチ部3-1は接続設定に従って、EAST PRTのラインインタフェース部2-1-４へ回線を接続し、ラインインタフェース部2-1-４は入力された回線に対して必要に応じて信号形式変換した後、所定の波長の信号として出力する。
【０３８７】
EAST側PRT部の波長多重分離部1-４では、上記信号と他の波長のラインインタフェース部からの信号を波長多重し伝送路に出力する。
【０３８８】
この状態でWEST SRVの伝送ライン、波長多重分離部1-1またはラインインタフェースに障害が発生した場合、ラインスイッチ部はWEST PRTのラインインタフェース部2-1-2を介して迂回してくる回線をEAST SRVのラインインタフェース部2-1-3に出力する。またEAST SRVのラインインタフェースに障害が発生した場合は、ラインスイッチ部はEAST PRTのラインインタフェース部WEST PRT系2-1-4を介して回線を迂回させる。
【０３８９】
［トリビュタリ→トリビュタリ方向］
トリビュタリインタフェース部 ch1 6-1で収容した回線は、必要に応じて信号形式変換、信号モニタ或いは終端処理された後、ライン冗長ユニット7-1に接続される。ライン冗長ユニット7-1内のラインスイッチ部3-1は接続設定に従って、WEST SRVのラインインタフェース部WEST SRV系2-1-1へ回線を接続し、ラインインタフェース部WEST SRV系2-1-1は入力された回線に対して必要に応じて信号形式変換した後、所定の波長の信号として出力する。
【０３９０】
WEST SRV用の波長多重分離部1-1では、上記信号と他の波長のラインインタフェース部からの信号を波長多重し伝送路に出力する。
【０３９１】
この状態においてWEST側、EAST側の伝送ライン、波長多重分離部またはラインインタフェース部で同時に障害が発生した場合、ラインスイッチ部3-1は回線をトリビュタリインタフェース部 ch 2 6-2に迂回させることができる。
本実施形態の光伝送装置によれば、以下の効果を得ることができる。
ａ）光信号を分岐接続可能なラインスイッチ部を用いる事により、障害に対して迅速に回線を迂回させることができるため、回線の切り替えあるいは切り戻し時に回線が不通になる時間を短くできる。
【０３９２】
＜冗長無し，クロスコネクトスイッチ無し，２ファイバシステム実施形態＞
（第３０の実施形態）
図４５は、本発明に係わる光伝送装置の別の構成例を示すブロック図である。なお本実施形態の光伝送装置は、装置内部に切り替え可能な冗長系を備えず、ライン側とトリビュタリ側との波長アサインを行う光クロスコネクト部を備えず、２ファイバ伝送システムに使用される。また本実施形態の光伝送装置は、請求項２０に対応する。
【０３９３】
図４５の光伝送装置は、波長数２×ｓについて波長多重分離を行う波長多重分離部（WEST用：１−１、EAST用：１−３）と、ライン冗長ユニット7−１〜７−ｓと、ｃ）トリビュタリとのインタフェースを行うｔ個のトリビュタリインタフェース部（ch 1用：６−１、ch 2用：６−２、ch t用：６−ｔ）とを備える。
【０３９４】
ライン冗長ユニット7−１〜７−ｓは、所定の波長でラインとのインタフェースを行うラインインタフェース部（WEST SRV用：２−１−１、WEST PRT用：２−１−２、EAST SRV用：２−１−３、EAST PRT用：２−１−４）と、上記第２４の実施形態と同様の機能を持つラインスイッチ部３−１とを備える。
【０３９５】
図４５に示した光伝送装置の基本動作を、ライン冗長ユニット7-1を介してインタフェースする回線について説明する。
［Add方向］
トリビュタリインタフェース部 ch1 6-1で収容した回線は、必要に応じて信号形式変換、信号モニタ或いは終端処理された後、ライン冗長ユニット7-1に接続される。
【０３９６】
ライン冗長ユニット7-1内のラインスイッチ部3-1は接続設定に従って、WEST SRV用のラインインタフェース部WEST SRV系2-1-1へ回線を接続し、ラインインタフェース部WEST SRV系2-1-1は入力された回線に対して必要に応じて信号形式変換した後、所定の波長の信号として出力する。
【０３９７】
WEST用の波長多重分離部1-1では、上記信号と他の波長のラインインタフェース部からの信号を波長多重し伝送路に出力する。
【０３９８】
この状態においてWEST SRV用のラインインタフェース部WEST SRV系2-1-1で障害が発生した場合、ラインスイッチ部3-1は回線をWEST PRT用のラインインタフェース部2-1-2に迂回させ、WEST 側の伝送ラインまたは波長多重分離部1-1で障害が発生した場合はEAST PRT用のラインインタフェース部WEST PRT系2-1-4に迂回させる。
【０３９９】
トリビュタリインタフェース部 ch 26-2で収容した回線は、必要に応じて信号形式変換、信号モニタ或いは終端処理された後、ライン冗長ユニット7-1に接続される。
【０４００】
ライン冗長ユニット7-1内のラインスイッチ部3-1は接続設定に従って、EAST SRV用のラインインタフェース部2-1-3へ回線を接続し、ラインインタフェース部2-1-3は入力された回線に対して必要に応じて信号形式変換した後、所定の波長の信号として出力する。
【０４０１】
EAST用の波長多重分離部1-３では、上記信号と他の波長のラインインタフェース部からの信号を波長多重し伝送路に出力する。
【０４０２】
この状態においてEASTSRVのラインインタフェースで障害が発生した場合、ラインスイッチ部3-1は回線をEAST PRTのラインインタフェース部WEST PRT系2-1-4に迂回させ、EAST 側の伝送ラインまたは波長多重分離部1-3で障害が発生した場合はWEST PRTのラインインタフェース部2-1-2に迂回させる。
【０４０３】
［Drop方向］
WEST用の波長多重分離部1-1に入力された回線は波長単位に分離され、ライン冗長ユニット7-1内のラインインタフェース部WEST SRV系2-1-1に入力される。ラインインタフェースでは必要に応じて信号形式変換処理を行い、ラインスイッチ部3-1は接続設定に従って、トリビュタリインタフェース部 ch1 6-1に接続する。トリビュタリインタフェース部では必要に応じて信号形式変換を行った後、外部装置に出力する。
【０４０４】
この状態でWEST SRV用のラインインタフェース部で障害が発生した場合、ラインスイッチ部はWEST PRTのラインインタフェース部2-1-2を介して迂回してくる回線をトリビュタリインタフェース部６―１に出力し、WEST側の伝送ラインまたは波長多重分離部1-1で障害が発生した場合にはEAST PRTのラインインタフェース部WEST PRT系2-1-4を介して迂回してくる回線をトリビュタリインタフェース部６―１に出力する。
【０４０５】
EAST用の波長多重分離部1-３に入力された回線は波長単位に分離され、ライン冗長ユニット7-1内のラインインタフェース部2-1-3に入力される。ラインインタフェースでは必要に応じて信号形式変換処理を行い、ラインスイッチ部3-1は接続設定に従って、トリビュタリインタフェース部 ch ２６−２に接続する。トリビュタリインタフェース部では必要に応じて信号形式変換を行った後、外部装置に出力する。
【０４０６】
この状態でEAST SRVのラインインタフェース部で障害が発生した場合、ラインスイッチ部はEAST PRTのラインインタフェース部WEST PRT系2-1-4を介して迂回してくる回線をトリビュタリインタフェース部６―２に出力し、EAST側の伝送ラインまたは波長多重分離部1-3で障害が発生した場合にはWEST PRTのラインインタフェース部2-1-2を介して迂回してくる回線をトリビュタリインタフェース部６―２に出力する。
【０４０７】
［波長多重インタフェース部→波長多重インタフェース部方向］
WEST用の波長多重分離部1-1に入力された回線は波長単位に分離され、ライン冗長ユニット7-1内のWEST SRV用のラインインタフェース部WEST SRV系2-1-1に入力される。ラインインタフェースでは必要に応じて信号形式変換処理を行い、ラインスイッチ部3-1は接続設定に従って、EAST SRV用のラインインタフェース部2-1-3へ回線を接続し、ラインインタフェース部2-1-3は入力された回線に対して必要に応じて信号形式変換した後、所定の波長の信号として出力する。
【０４０８】
EAST用の波長多重分離部1-３では、上記信号と他の波長のラインインタフェース部からの信号を波長多重し伝送路に出力する。
【０４０９】
同時にWEST用の波長多重分離部1-１に入力された回線は波長単位に分離され、ライン冗長ユニット7-1内のWEST PRT用のラインインタフェース部2-1-２に入力される。ラインインタフェースでは必要に応じて信号形式変換処理を行い、ラインスイッチ部3-1は接続設定に従って、EAST PRTのラインインタフェース部2-1-４へ回線を接続し、ラインインタフェース部2-1-４は入力された回線に対して信号形式変換した後、所定の波長の信号として出力する。
【０４１０】
EAST用の波長多重分離部1-３では、上記信号と他の波長のラインインタフェース部からの信号を波長多重し伝送路に出力する。
【０４１１】
この状態でWEST SRV用のラインインタフェース2-1-1に障害が発生した場合、ラインスイッチ部はWEST PRTのラインインタフェース部2-1-2を介して迂回してくる回線をEAST SRVのラインインタフェース部2-1-3に出力する。またEAST SRVのラインインタフェース2-1-3に障害が発生した場合は、ラインスイッチ部はEAST PRTのラインインタフェース部WEST PRT系2-1-4を介して回線を迂回させる。
【０４１２】
［トリビュタリ→トリビュタリ方向］
トリビュタリインタフェース部 ch1 6-1で収容した回線は、必要に応じて信号形式変換、信号モニタ或いは終端処理された後、ライン冗長ユニット7-1に接続される。ライン冗長ユニット7-1内のラインスイッチ部3-1は接続設定に従って、WEST SRVのラインインタフェース部WEST SRV系2-1-1へ回線を接続し、ラインインタフェース部WEST SRV系2-1-1は入力された回線に対して必要に応じて信号形式変換した後、所定の波長の信号として出力する。
【０４１３】
WEST 用の波長多重分離部1-1では、上記信号と他の波長のラインインタフェース部からの信号を波長多重し伝送路に出力する。
【０４１４】
この状態においてWEST側、EAST側の伝送ライン、波長多重分離部またはラインインタフェース部で同時に障害が発生した場合、ラインスイッチ部3-1は回線をトリビュタリインタフェース部 ch２６−２に迂回させることができる。
【０４１５】
本実施形態の光伝送装置によれば、以下の効果を得ることができる。
ａ）光信号を分岐接続可能なラインスイッチ部を用いる事により、障害に対して迅速に回線を迂回させることができるため、回線の切り替えあるいは切り戻し時に回線が不通になる時間を短くできる。
【０４１６】
ｂ）WEST側、EAST側の伝送路として、各々１ファイバペアのみを使用するため、伝送路に係わるコストを低減できる。
【０４１７】
以上の実施形態で説明したように、本発明は、波長多重伝送システムの冗長切替のための機能を実現するラインスイッチ部において、単なる切り替えだけでなく、現用/予備系に対して一旦Bridgeした後にSwitchするよう制御できるように構成した。このことにより得られる効果をまとめると、次のとおりである。
【０４１８】
１）切り替え（スイッチ）動作前に、プロテクションラインを通してサービストラフィックが伝送されてくるので、トラフィックの品質を確認することができるので、不要な切り替え／切り戻し動作を防ぐことができる。
【０４１９】
２）ラインスイッチ部で切り替えを行うときには、プロテクションラインを通して伝送されてきたサービストラフィックが既にラインスイッチ部に入力されているようにできる。このため、切り替えによるトラフィックの瞬断時間を、プロテクションラインを通しての伝送遅延時間分だけ短縮することができる。
【０４２０】
３）２）と同様に、障害復旧時に切り戻しを行うときにも、プロテクションライン及びサービスラインの両方からサービストラフィックをラインスイッチ部に入力できるため、切り戻しによるトラフィックの瞬断時間を、サービスラインを通しての伝送遅延時間分だけ短縮することができる。
【０４２１】
また、ネットワーク上に障害が発生していないときには、エクストラトラフィック又はパートタイムトラフィックを収容することがでる。
【０４２２】
さらに、ラインインタフェース部及びトリビュタリインタフェース部に特定信号挿入機能を持たせることにより、ネットワーク上または装置内部に障害が発生したときにも、サービストラフィックとエクストラトラフィック又はパートタイムトラフィックがミスコネクトすることはない。
【０４２３】
以上、本発明の実施形態によれば、波長多重ネットワークにおける冗長切替のアルゴリズムを従来技術と同じように構成でき、障害発生に対しての回復動作をより安定に実施することができる。また波長多重ネットワークの保守性を高めることができる。
【０４２４】
【発明の効果】
以上詳述したように本発明によれば、光信号の経路切り替えを光信号領域で行う光スイッチ装置および光伝送装置にあって、ブリッジを行えるようにしたので、冗長切り替えを簡易に行えるようにした光伝送装置を提供することが可能となる。
【図面の簡単な説明】
【図１】本発明が適用される伝送システムの一例を示す図。
【図２】図１の伝送システムにおけるパスの設定例を示す図。
【図３】ネットワーク上にPoint to Point接続型パスが設定された場合に、各ノードにおいて設定される入出力信号の接続関係を示す図。
【図４】本発明に係わる光スイッチ装置を実装するノードの一例を示すブロック図。
【図５】本発明の第１の実施形態に係わるラインスイッチ部の構成を示すブロック図。
【図６】本発明の第２の実施形態に係わるラインスイッチ部の構成を示すブロック図。
【図７】本発明の第３の実施形態に係わるラインスイッチ部の構成を示すブロック図。
【図８】本発明の第４の実施形態に係わるラインスイッチ部の構成を示すブロック図。
【図９】本発明の第５の実施形態に係わるラインスイッチ部の構成を示すブロック図。
【図１０】Add/Dropポート付き光マトリクススイッチの概念図。
【図１１】本発明の第６の実施形態に係わるラインスイッチ部の構成を示すブロック図。
【図１２】本発明の第７の実施形態に係わるラインスイッチ部の構成を示すブロック図。
【図１３】本発明の第８の実施形態に係わるラインスイッチ部の構成を示すブロック図。
【図１４】本発明の第９の実施形態に係わるラインスイッチ部の構成を示すブロック図。
【図１５】ネットワーク上にPoint to Multi-point接続型パスが設定された場合に、各ノードにおいて設定される入出力信号の接続関係を示す図。
【図１６】本発明の第１０の実施形態に係わるラインスイッチ部の構成を示すブロック図。
【図１７】本発明の第１１の実施形態に係わるラインスイッチ部の構成を示すブロック図。
【図１８】本発明の第１２の実施形態に係わるラインスイッチ部の構成を示すブロック図。
【図１９】本発明の第１３の実施形態に係わるラインスイッチ部の構成を示すブロック図。
【図２０】本発明の第１４の実施形態に係わるラインスイッチ部の構成を示すブロック図。
【図２１】本発明の第１５の実施形態に係わるラインスイッチ部の構成を示すブロック図。
【図２２】本発明の第１６の実施形態に係わるラインスイッチ部の構成を示すブロック図。
【図２３】本発明の第１７の実施形態に係わるラインスイッチ部の構成を示すブロック図。
【図２４】本発明の第１８の実施形態に係わるラインスイッチ部の構成を示すブロック図。
【図２５】本発明の第１９の実施形態に係わるラインスイッチ部の構成を示すブロック図。
【図２６】本発明の第２０の実施形態に係わるラインスイッチ部の構成を示すブロック図。
【図２７】本発明の第２１の実施形態に係わるラインスイッチ部の構成を示すブロック図。
【図２８】本発明の第２２の実施形態に係わるラインスイッチ部の構成を示すブロック図。
【図２９】図４の光伝送装置がサービストラフィックをWEST方向にAdd/Drop形態で収容し、ネットワーク上に障害がない正常状態でのトラフィックの流れを示す図。
【図３０】図２９においてWESTサービスライン上に障害が発生した場合の切り替え動作の途中段階におけるトラフィックの流れを示す図。
【図３１】図２９においてWESTサービスライン上に障害が発生した場合の切り替え動作の最終段階におけるトラフィックの流れを示す図。
【図３２】サービストラフィックをWEST方向にAdd/Drop形態で、同時にエクストラトラフィックをWEST方向にAdd/Drop形態で収容し、ネットワーク上に障害がない正常状態でのトラフィックの流れを示す図。
【図３３】図３２に対して、WESTサービスライン上に障害が発生した場合の切り替え動作の途中段階でのトラフィックの流れを示す図。
【図３４】図３２に対して、WESTサービスライン上に障害が発生した場合の切り替え動作の最終段階でのトラフィックの流れを示す図。
【図３５】サービストラフィックをWEST方向にAdd/Drop形態で、同時にパートタイムトラフィックをWEST方向にAdd/Drop形態で収容する場合で、かつネットワーク上に障害がない正常状態でのトラフィックの流れを示す図。
【図３６】図３５に対して、WESTサービスライン上に障害が発生した場合の切り替え動作の途中段階でのトラフィックの流れを示す図。
【図３７】図３５に対して、WESTサービスライン上に障害が発生した場合の切り替え動作の最終段階でのトラフィックの流れを示す図。
【図３８】サービストラフィックをWEST方向にAdd/Drop形態で、パートタイムトラフィックをWEST方向にAdd/Drop形態で収容する場合で、かつノード内部で冗長構成をとっている光クロスコネクト部サービス系４−１で障害が発生し、サービストラフィックをプロテクション系機能ブロック側に切り替えた場合のトラフィックの流れを示す図。
【図３９】本発明に係わる光伝送装置の別の構成例を示すブロック図。
【図４０】本発明に係わる光伝送装置の別の構成例を示すブロック図。
【図４１】本発明に係わる光伝送装置の別の構成例を示すブロック図。
【図４２】本発明に係わる光伝送装置の別の構成例を示すブロック図。
【図４３】本発明に係わる光伝送装置の別の構成例を示すブロック図。
【図４４】本発明に係わる光伝送装置の別の構成例を示すブロック図。
【図４５】本発明に係わる光伝送装置の別の構成例を示すブロック図。
【図４６】ＯＡＤＭ技術を用いた波長多重リングネットワークで使用される従来の光伝送装置の構成を示す機能ブロック図。
【図４７】図４６の光伝送装置を対向した場合の伝送路障害時における動作につき説明するための図。
【図４８】図４６の光伝送装置を対向した場合の伝送路障害時における動作につき説明するための図。
【符号の説明】
１−１…波長多重分離部（WESTサービス系）
１−２…波長多重分離部（WESTプロテクション系）
１−３…波長多重分離部（EASTサービス系）
１−４…波長多重分離部（EASTプロテクション系）
２−１−１…ラインインタフェース部（WESTサービス系）
２−１−２…ラインインタフェース部（WESTプロテクション系）
２−１−３…ラインインタフェース部（EASTサービス系）
２−１−４…ラインインタフェース部（EASTプロテクション系）
３−１−１…ラインスイッチ部（サービス系）
３−１−２…ラインスイッチ部（プロテクション系）
４−１…光クロスコネクト部（サービス系）
４−２…光クロスコネクト部（プロテクション系）
５−１−１…トリビュタリスイッチ部（サービス系）
５−１−２…トリビュタリスイッチ部（プロテクション系）
６−１−１…トリビュタリインタフェース部（サービス系）
６−１−２…トリビュタリインタフェース部（プロテクション系）
６−１−３…トリビュタリインタフェース部（パートタイム系）
【図１】
0004592170.tif 000002
【図２】
0004592170.tif 000003
【図３】
0004592170.tif 000004
【図４】
0004592170.tif 000005
【図５】
0004592170.tif 000006
【図６】
0004592170.tif 000007
【図７】
0004592170.tif 000008
【図８】
0004592170.tif 000009
【図９】
0004592170.tif 000010
【図１０】
0004592170.tif 000011
【図１１】
0004592170.tif 000012
【図１２】
0004592170.tif 000013
【図１３】
0004592170.tif 000014
【図１４】
0004592170.tif 000015
【図１５】
0004592170.tif 000016
【図１６】
0004592170.tif 000017
【図１７】
0004592170.tif 000018
【図１８】
0004592170.tif 000019
【図１９】
0004592170.tif 000020
【図２０】
0004592170.tif 000021
【図２１】
0004592170.tif 000022
【図２２】
0004592170.tif 000023
【図２３】
0004592170.tif 000024
【図２４】
0004592170.tif 000025
【図２５】
0004592170.tif 000026
【図２６】
0004592170.tif 000027
【図２７】
0004592170.tif 000028
【図２８】
0004592170.tif 000029
【図２９】
0004592170.tif 000030
【図３０】
0004592170.tif 000031
【図３１】
0004592170.tif 000032
【図３２】
0004592170.tif 000033
【図３３】
0004592170.tif 000034
【図３４】
0004592170.tif 000035
【図３５】
0004592170.tif 000036
【図３６】
0004592170.tif 000037
【図３７】
0004592170.tif 000038
【図３８】
0004592170.tif 000039
【図３９】
0004592170.tif 000040
【図４０】
0004592170.tif 000041
【図４１】
0004592170.tif 000042
【図４２】
0004592170.tif 000043
【図４３】
0004592170.tif 000044
【図４４】
0004592170.tif 000045
【図４５】
0004592170.tif 000046
【図４６】
0004592170.tif 000047
【図４７】
0004592170.tif 000048
【図４８】
0004592170.tif 000049